(57)【特許請求の範囲】
【請求項１】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、上記第１及び第２のワード列データに夫々基づく第１及び第２のシリアルデータを得て、該第１及び第２のシリアルデータを伝送すべく送出するデータ伝送方法。
【請求項２】
ディジタル映像信号を成すディジタルデータが、輝度信号情報をあらわすデータが配されて構成された第１のデータ系列と、色差信号情報をあらわすデータが配されて構成された第２のデータ系列との、並列配置をもって形成されたものとされることを特徴とする請求項１記載のデータ伝送方法。
【請求項３】
第１及び第２のワード列データの夫々を、２０ビットワードが連なって成る２０ビットワード列データとすることを特徴とする請求項１記載のデータ伝送方法。
【請求項４】
第１のシリアルデータに電光変換処理を施して第１の光信号を得るとともに、第２のシリアルデータに電光変換処理を施して第２の光信号を得、該第１及び第２の光信号を伝送することを特徴とする請求項１記載のデータ伝送方法。
【請求項５】
第１のシリアルデータと第２のシリアルデータとを多重合成して多重シリアルデータを形成し、該多重シリアルデータに電光変換処理を施して光信号を得、該光信号を伝送することを特徴とする請求項１記載のデータ伝送方法。
【請求項６】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１及び上記第２のワード列データに夫々基づく第１及び第２のシリアルデータを得て、該第１及び第２のシリアルデータを伝送すべく送出するデータ伝送方法。
【請求項７】
ディジタル映像信号を成すディジタルデータが、緑色原色信号情報をあらわすデータが配されて構成された第１のデータ系列と、青色原色信号情報をあらわすデータが配されて構成された第２のデータ系列と、赤色原色信号情報をあらわすデータが配されて構成された第３のデータ系列との、並列配置をもって形成されたものとされることを特徴とする請求項６記載のデータ伝送方法。
【請求項８】
第１及び第２のワード列データの夫々を、２０ビットワードが連なって成る２０ビットワード列データとすることを特徴とする請求項６記載のデータ伝送方法。
【請求項９】
第１のシリアルデータに電光変換処理を施して第１の光信号を得るとともに、第２のシリアルデータに電光変換処理を施して第２の光信号を得、該第１及び第２の光信号を伝送することを特徴とする請求項６記載のデータ伝送方法。
【請求項１０】
第１のシリアルデータと第２のシリアルデータとを多重合成して多重シリアルデータを形成し、該多重シリアルデータに電光変換処理を施して光信号を得、該光信号を伝送することを特徴とする請求項６記載のデータ伝送方法。
【請求項１１】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、上記第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成し、上記第３，第４，第５及び第６のワード列データに夫々基づく第１，第２，第３及び第４のシリアルデータを得て、該第１，第２，第３及び第４のシリアルデータを伝送すべく送出するデータ伝送方法。
【請求項１２】
ディジタル映像信号を成すディジタルデータが、輝度信号情報をあらわすデータが配されて構成された第１のデータ系列と、色差信号情報をあらわすデータが配されて構成された第２のデータ系列との、並列配置をもって形成されたものとされることを特徴とする請求項１１記載のデータ伝送方法。
【請求項１３】
第３，第４，第５及び第６のワード列データの夫々を、２０ビットワードが連なって成る２０ビットワード列データとすることを特徴とする請求項１１記載のデータ伝送方法。
【請求項１４】
第１のシリアルデータと第２のシリアルデータとを多重合成して第１の多重シリアルデータを形成するとともに、第３のシリアルデータと第４のシリアルデータとを多重合成して第２の多重シリアルデータを形成し、上記第１及び第２の多重シリアルデータの夫々に電光変換処理を施して第１及び第２の光信号を得、該第１及び第２の光信号を伝送することを特徴とする請求項１１記載のデータ伝送方法。
【請求項１５】
フレームレートを５０Ｈｚもしくは６０Ｈｚとし、各フレームにおけるライン数が１１２５ライン，各フレーム部における有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第３のワード列データと、上記第２のグループを構成するデータに基づくワード伝送レートを７４．２５ＭＢｐｓとする第４のワード列データとを形成し、さらに、上記第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して上記第４のグループに加え、上記第３のグループを構成するデータに基づくワード伝送レートを７４．２５ＭＢｐｓとする第５のワード列データと、上記第４のグループを構成するデータに基づくワード伝送レートを７４．２５ＭＢｐｓとする第６のワード列データとを形成し、上記第３，第４，第５及び第６のワード列データに夫々基づく第１，第２，第３及び第４のシリアルデータを得て、該第１，第２，第３及び第４のシリアルデータを伝送すべく送出するデータ伝送方法。
【請求項１６】
ディジタル映像信号を成すディジタルデータが、緑色原色信号情報をあらわすデータが配されて構成された第１のデータ系列と、青色原色信号情報をあらわすデータが配されて構成された第２のデータ系列と、赤色原色信号情報をあらわすデータが配されて構成された第３のデータ系列との、並列配置をもって形成されたものとされることを特徴とする請求項１５記載のデータ伝送方法。
【請求項１７】
第３，第４，第５及び第６のワード列データの夫々を、２０ビットワードが連なって成る２０ビットワード列データとすることを特徴とする請求項１５記載のデータ伝送方法。
【請求項１８】
第１のシリアルデータと第２のシリアルデータとを多重合成して第１の多重シリアルデータを形成するとともに、第３のシリアルデータと第４のシリアルデータとを多重合成して第２の多重シリアルデータを形成し、上記第１及び第２の多重シリアルデータの夫々に電光変換処理を施して第１及び第２の光信号を得、該第１及び第２の光信号を伝送することを特徴とする請求項１５記載のデータ伝送方法。
【請求項１９】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項２０】
フレームレートを２４Ｈｚ，２５Ｈｚもしくは３０Ｈｚとし、各フレームにおけるライン数が１１２５ライン部，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項２１】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、上記第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記データ処理部から得られる第３のワード列データに基づく第３のシリアルデータを得る第３のパラレル／シリアル変換部と、
上記データ処理部から得られる第４のワード列データに基づく第４のシリアルデータを得る第４のパラレル／シリアル変換部と、
上記第１，第２，第３及び第４のパラレル／シリアル変換部から夫々得られる第１，第２，第３及び第４のシリアルデータを伝送すべく送出するデータ送出部と、
を備えて構成されるデータ伝送装置。
【請求項２２】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第３のワード列データと、上記第２のグループを構成するデータに基づくワード伝送レートを７４．２５ＭＢｐｓとする第４のワード列データとを形成し、さらに、上記第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して上記第４のグループに加え、上記第３のグループを構成するデータに基づくワード伝送レートを７４．２５ＭＢｐｓとする第５のワード列データと、上記第４のグループを構成するデータに基づくワード伝送レートを７４．２５ＭＢｐｓとする第６のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記データ処理部から得られる第３のワード列データに基づく第３のシリアルデータを得る第３のパラレル／シリアル変換部と、
上記データ処理部から得られる第４のワード列データに基づく第４のシリアルデータを得る第４のパラレル／シリアル変換部と、
上記第１，第２，第３及び第４のパラレル／シリアル変換部から夫々得られる第１，第２，第３及び第４のシリアルデータを伝送すべく送出するデータ送出部と、
を備えて構成されるデータ伝送装置。
【発明の詳細な説明】
【０００１】
技術分野
本発明は、映像信号情報をあらわす量子化ビット数を１２ビット，１４ビットもしくは１６ビットとするディジタルデータをシリアル伝送するデータ伝送方法、及び、その実施に供されるデータ伝送装置に関する。
【０００２】
背景技術
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン(High Definition Television:ＨＤＴＶ）システム等が提案されている。ＨＤＴＶシステムのもとにおけるディジタル映像信号（以下、ＨＤディジタル映像信号という）は、例えば、ＢＴＡ（Broadcasting Technology Association:放送技術開発協議会）により制定された規格に従って形成され、Ｙ，ＰB ／ＰR 形式のものとＧ，Ｂ，Ｒ形式のものとがある。Ｙ，ＰB ／ＰR 形式の場合、Ｙは輝度信号を意味し、ＰB 及びＰR は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰB ／ＰR 形式のＨＤディジタル映像信号は、フレームレートが３０Ｈｚあるいは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図１に示される如くのデータフォーマットに従うものとされる。図１に示されるデータフォーマットは、図１のＡに示される如くの、映像信号における輝度信号情報をあらわす輝度信号データ系列（Ｙデータ系列）と、図１のＢに示される如くの、映像信号における色差信号情報をあらわす色差信号データ系列（ＰB ／ＰR データ系列）とから成り、Ｙデータ系列及びＰB ／ＰR データ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図１のＡには、Ｙデータ系列における各ライン部中のラインブランキング部及びその前後における映像データ部の一部分が示されており、また、図１のＢには、ＰB ／ＰR データ系列における各ライン部中のラインブランキング部及びその前後における映像データ部の一部分が示されている。
【０００４】
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）（３ＦＦ，０００及びＸＹＺは１６進表現であり、（Ｙ）はＹデータ系列中のワードであることをあらわす。））から成るタイミング基準コードデータ（ＳＡＶ： Start of Active Video )が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ： End of Active Video )が配される。同様にして、ＰB ／ＰR データ系列にあっても、各映像データ部の直前に、各々が１０ビット構成とされる４ワード（３ＦＦ（Ｃ），０００（Ｃ），０００（Ｃ），ＸＹＺ（Ｃ）（３ＦＦ，０００及びＸＹＺは１６進表現であり、（Ｃ）はＰB ／ＰR データ系列中のワードであることをあらわす。））から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰB ／ＰR データ系列中のタイミング基準コードデータ：ＥＡＶ及びＳＡＶの夫々は、ＰB ／ＰR データ系列における各ラインブランキング部に配される。
【０００５】
（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
【０００６】
また、Ｇ，Ｂ，Ｒ形式のＨＤディジタル映像信号も、フレームレートが３０Ｈｚとされたもとでの飛び越し走査用の信号とされ、例えば、図２に示される如くのデータフォーマットに従うものとされる。図２のＡに示される如くの、映像信号における緑色原色信号情報をあらわす緑色原色信号データ系列（Ｇデータ系列）と、図２のＢに示される如くの、映像信号における青色原色信号情報をあらわす青色原色信号データ系列（Ｂデータ系列）と、図２のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータの各々は、１０ビット構成とされ、また、そのワード伝送レートは、例えば、７４．２５ＭＢｐｓとされる。そして、図２のＡ，Ｂ及びＣには、夫々、Ｇデータ系列，Ｂデータ系列及びＲデータ系列における各ライン部中のラインブランキング部及びその前後における映像データ部の一部分が示されている。
【０００７】
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
【０００８】
現行のＨＤＴＶシステムにあっては、上述の如くのフレームレートが３０Ｈｚとされたもとでの飛び越し走査用とされたＹ，ＰB ／ＰR 形式もしくはＧ，Ｂ，Ｒ形式のＨＤディジタル映像信号が用いられているが、これに対して、次世代のＨＤＴＶシステムとして、フレームレートが６０Ｈｚあるいは６０／１．００１Ｈｚ（本願においてはこれらのいずれをも６０Ｈｚという。）とされたもとで、各フレーム画像が第１及び第２フィールドに分けられることなく形成される順次走査用とされた、Ｙ，ＰB ／ＰR 形式もしくはＧ，Ｂ，Ｒ形式のＨＤディジタル映像信号を用いるシステムが提案されている。順次走査用とされた、Ｙ，ＰB ／ＰR 形式もしくはＧ，Ｂ，Ｒ形式のＨＤディジタル映像信号は、プログレッシブ（Progressive)方式のＨＤディジタル映像信号と称される。
【０００９】
フレームレートが６０Ｈｚとされたプログレッシブ方式のＨＤディジタル映像信号を成すディジタルデータは、米国のＳＭＰＴＥ（Society of Motion Picture and Television Engineers: 映画及びテレビジョン技術者協会）により制定された規格:SMPTE 274M によるフォーマットの規格化が図られている。斯かる SMPTE 274M により規格化されたフォーマットにあっては、フレームレート: ６０Ｈｚの他、ラインあたりの有効データサンプル数：１９２０サンプル，フレームあたりの有効ライン数：１０８０ライン，サンプリング周波数：１４８．５ＭＨｚあるいは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１０】
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす。以下において同じ。）、即ち、0000 0000 及び 1111 1111とされ、また、量子化ビット数が１０ビットである場合、禁止コードは、１６進表現で０００ｈ〜００３ｈ及び３ＦＣｈ〜３ＦＦｈ、即ち、 00 0000 0000 〜 00 0000 0011 及び 11 1111 1100 〜 11 1111 1111 とされる。
【００１１】
なお、Ｙ，ＰB ／ＰR 形式の場合、ＰB データ系列及びＰR データ系列の夫々のサンプリング周波数が、Ｙデータ系列のサンプリング周波数の１／２とされる。以下おいては、必要に応じて、Ｙ，ＰB ／ＰR 形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【００１２】
また、このようなＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【００１３】
Ｄ−Ｃｉｎｅｍａ信号は、例えば、フレームレートを２４Ｈｚあるいは２４／１．００１Ｈｚ（本願においてはこれらのいずれをも２４Ｈｚという。）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ等も考えられる。フレームレートを２４Ｈｚ，２５Ｈｚ及び３０Ｈｚとするディジタル映像信号を成すディジタルデータについては、そのフォーマットが SMPTE 274M により規格化されており、フレームレート: ２４Ｈｚ，２５Ｈｚ，３０Ｈｚの他、ラインあたりの有効データサンプル数：１９２０サンプル，フレームあたりの有効ライン数：１０８０ライン，サンプリング周波数：７４．２５ＭＨｚあるいは７４．２５／１．００１ＭＨｚ（本願においてはこれらのいずれをも７４．２５ＭＨｚという。），量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１４】
こうした状況の中で、ＨＤディジタル映像信号あるいはＤ−Ｃｉｎｅｍａ信号について、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。しかしながら、前述の SMPTE 274M 等を含む現行のディジタル映像信号を成すディジタルデータに関する規格にあっては、量子化ビット数を８ビットもしくは１０ビットとするものについての規格化は図られているが、量子化ビット数を８ビットもしくは１０ビットを越えるビット数、例えば、１２ビット，１４ビット，１６ビット等とするものについては規格化されていない。それゆえ、量子化ビット数を、例えば、１２ビット，１４ビットもしくは１６ビットとするディジタル映像信号を成すディジタルデータについては、その形成にあたって、互換性，汎用性等の面での問題を生じる虞がある。
【００１５】
また、量子化ビット数を、例えば、１２ビット，１４ビットもしくは１６ビットとするディジタル映像信号を成すディジタルデータにあっては、その伝送に伴う問題もある。即ち、ディジタル映像信号を成すディジタルデータの伝送にあたっては、シリアルデータに変換されて伝送されるシリアル伝送が望まれることになるが、量子化ビット数を８ビットもしくは１０ビットとする４：２：２形式のディジタル映像信号を成すディジタルデータについて、前述のＢＴＡによって制定された規格であるBTA S-004 によるＨＤ  ＳＤＩ(High Definition Serial Digital Interface)を用いて伝送することが規格化されているだけで、他の形式のディジタルデータ、例えば、４：４：４形式のディジタル映像信号を成すディジタルデータ，量子化ビット数を１０ビットを越えるものとするディジタル映像信号を成すディジタルデータ等のシリアル伝送については、規格化されていない。そして、現在のところ、量子化ビット数を１０ビットを越えるものとするディジタル映像信号を成すディジタルデータのシリアル伝送を、例えば、量子化ビット数を１０ビットとするディジタル映像信号を成すディジタルデータのシリアル伝送に用いられる現存する回路構成要素を利用して、適切に実現することができる伝送システムの具体例は見当たらない。また、このようなシリアル伝送システムに関する技術について記載された文献等も見出せない。
【００１６】
斯かる点に鑑み、本発明の目的は、量子化ビット数を１０ビットを越えるものとして、ＨＤディジタル映像信号，Ｄ−Ｃｉｎｅｍａ信号等のディジタル映像信号を成すディジタルデータについてのシリアル伝送を、量子化ビット数を８ビットもしくは１０ビットとするディジタル映像信号を成すディジタルデータのシリアル伝送に用いられる現存する回路構成要素を利用して、適切に実現することができるデータ伝送方法及びその実施に供されるデータ伝送装置を提供することにある。
【００１７】
発明の開示
本発明に係るデータ伝送方法の第１の態様は、フレームレートを２４Ｈｚ，２５Ｈｚもしくは３０Ｈｚとし、各フレームにおけるライン数が１１２５ライン，各フレームにおける有効ラインが１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、第１及び第２のワード列データに夫々基づく第１及び第２のシリアルデータを得て、第１及び第２のシリアルデータを伝送すべく送出するものとされる。
【００１８】
本発明に係るデータ伝送方法の第２の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１及び第２のワード列データに夫々基づく第１及び第２のシリアルデータを得て、第１及び第２のシリアルデータを伝送すべく送出するものとされる。
【００１９】
本発明に係るデータ伝送方法の第３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成し、第３，第４，第５及び第６のワード列データに夫々基づく第１，第２，第３及び第４のシリアルデータを得て、第１，第２，第３及び第４のシリアルデータを伝送すべく送出するものとされる。
【００２０】
本発明に係るデータ伝送方法の第４の態様は、フレームレートを５０Ｈｚもしくは６０Ｈｚとし、各フレームにおけるライン数が１１２５ライン，各フレーム部における有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第３のワード列データと、第２のグループを構成するデータに基づくワード伝送レートを７４．２５ＭＢｐｓとする第４のワード列データとを形成し、さらに、第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して第４のグループに加え、第３のグループを構成するデータに基づくワード伝送レートを７４．２５ＭＢｐｓとする第５のワード列データと、第４のグループを構成するデータに基づくワード伝送レートを７４．２５ＭＢｐｓとする第６のワード列データとを形成し、第３，第４，第５及び第６のワード列データに夫々基づく第１，第２，第３及び第４のシリアルデータを得て、第１，第２，第３及び第４のシリアルデータを伝送すべく送出するものとされる。
【００２１】
本発明に係るデータ伝送装置の第１の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、データ処理部から得られる第１のワード列データに基づく第１のシリアルデータを得る第１のパラレル／シリアル（Ｐ／Ｓ）変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
【００２２】
本発明に係るデータ伝送装置の第２の態様は、フレームレートを２４Ｈｚ，２５Ｈｚもしくは３０Ｈｚとし、各フレームにおけるライン数が１１２５ライン部，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
【００２３】
本発明に係るデータ伝送装置の第３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成するデータ処理部と、データ処理部から得られる第３のワード列データに基づく第１のシリアルデータを得る第１のＰ／Ｓ変換部と、データ処理部から得られる第４のワード列データに基づく第２のシリアルデータを得る第２のＰ／Ｓ変換部と、データ処理部から得られる第５のワード列データに基づく第３のシリアルデータを得る第３のＰ／Ｓ変換部と、データ処理部から得られる第６のワード列データに基づく第４のシリアルデータを得る第４のＰ／Ｓ変換部と、第１，第２，第３及び第４のＰ／Ｓ変換部から夫々得られる第１，第２，第３及び第４のシリアルデータを伝送すべく送出するデータ送出部と、を備えて構成される。
【００２４】
本発明に係るデータ伝送装置の第４の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第３のワード列データと、第２のグループを構成するデータに基づくワード伝送レートを７４．２５ＭＢｐｓとする第４のワード列データとを形成し、さらに、第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して第４のグループに加え、第３のグループを構成するデータに基づくワード伝送レートを７４．２５ＭＢｐｓとする第５のワード列データと、第４のグループを構成するデータに基づくワード伝送レートを７４．２５ＭＢｐｓとする第６のワード列データとを形成するデータ処理部と、データ処理部から得られる第３のワード列データに基づく第１のシリアルデータを得る第１のＰ／Ｓ変換部と、データ処理部から得られる第４のワード列データに基づく第２のシリアルデータを得る第２のＰ／Ｓ変換部と、データ処理部から得られる第５のワード列データに基づく第３のシリアルデータを得る第３のＰ／Ｓ変換部と、データ処理部から得られる第６のワード列データに基づく第４のシリアルデータを得る第４のＰ／Ｓ変換部と、第１，第２，第３及び第４のＰ／Ｓ変換部から夫々得られる第１，第２，第３及び第４のシリアルデータを伝送すべく送出するデータ送出部と、を備えて構成される。
【００２５】
上述の如くの本発明に係るデータ伝送方法の第１，第２，第３もしくは第４の態様、あるいは、本発明に係るデータ伝送装置の第１，第２，第３もしくは第４の態様にあっては、量子化ビット数を１２ビット，１４ビットもしくは１６ビットとするディジタル映像信号を成すディジタルデータを、各々が従前の量子化ビット数を８ビットもしくは１０ビットとするＨＤディジタル映像信号を成すディジタルデータとの互換性がとれていることになる複数のワード列データに分割し、さらに、斯かる複数のワード列データの夫々をシリアルデータに変換したうえで伝送することになる。従って、本発明に係るデータ伝送方法の第１，第２，第３もしくは第４の態様、あるいは、本発明に係るデータ伝送装置の第１，第２，第３もしくは第４の態様によれば、量子化ビット数を１２ビット，１４ビットもしくは１６ビットとするディジタル映像信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
【００２６】
発明を実施するための最良の形態
図３は、本発明に係るデータ伝送方法の第１もしくは第３の態様を成す例、あるいは、本発明に係るデータ伝送装置の第１もしくは第３の態様を成す例による伝送に供されるディジタル映像信号を成すディジタルデータのデータフォーマットの例を示す。
【００２７】
図３に示されるデータフォーマットを有するディジタルデータは、量子化ビット数を１２ビット，１４ビットもしくは１６ビットとする４：２：２形式のディジタル映像信号を成すものとされる。斯かるディジタルデータは、４：２：２形式のディジタル映像信号を成すものであるので、量子化ビット数を１２ビット，１４ビットもしくは１６ビットとするＹデータ系列と量子化ビット数を１２ビット，１４ビットもしくは１６ビットとするＰB ／ＰR データ系列とから成るものとされる。
【００２８】
このような図３に示されるデータフォーマットを有するディジタルデータのうちの、本発明に係るデータ伝送方法の第１の態様を成す例、あるいは、本発明に係るデータ伝送装置の第１の態様を成す例による伝送に供されるものは、Ｙデータ系列及びＰB ／ＰR データ系列が、が１／２４秒，１／２５秒もしくは１／３０秒毎に連なるフレーム部が設定されて形成されるとともに、その各フレーム部がライン部Ｌ０００１からライン部Ｌ１１２５までの１１２５ライン部の連なりをもって形成される。また、各フレーム部における有効ライン部がライン部Ｌ００４２からライン部Ｌ１１２１までとされ、各フレーム部における有効ライン部数が１０８０ライン部に設定される。さらに、サンプリング周波数が７４．２５ＭＨｚに設定されて、各ライン部における有効データサンプル数が１９２０サンプルに設定される。そして、量子化ビット数が１２ビット，１４ビットもしくは１６ビットに選定される。
【００２９】
斯かるもとで、各フレーム部におけるライン部Ｌ０００１からライン部Ｌ１１２５までの夫々は、量子化ビット数を１２ビット，１４ビットもしくは１６ビットとするＹデータ系列のライン部と量子化ビット数を１２ビット，１４ビットもしくは１６ビットとするＰB ／ＰR データ系列のライン部とを含むことになる。特に、有効ライン部を形成するライン部Ｌ００４２からライン部Ｌ１１２１までの夫々については、それらのうちの一つであるライン部Ｌ００４２における状態が図３に例示されている如くに、それを形成する量子化ビット数を１２ビット，１４ビットもしくは１６ビットとするＹデータ系列のライン部及び量子化ビット数を１２ビット，１４ビットもしくは１６ビットとするＰB ／ＰR データ系列のライン部の夫々を、ラインブランキング部と映像データ部とを含むものとして形成される。
【００３０】
そして、各ラインブランキング部が、その始端部分にタイミング基準コード：ＥＡＶが配されるとともに、その終端部分にタイミング基準コード：ＳＡＶが配されるものとして構成される。一方、映像データ部については、Ｙデータ系列における映像データ部が、有効データサンプル数を１９２０サンプルとする輝度信号情報をあらわすデータＹＤが配されて構成され、また、ＰB ／ＰR データ系列における映像データ部が、有効データサンプル数を１９２０サンプルとする色差信号情報をあらわすデータＰｂＤ／ＰｒＤが配されて構成される。
【００３１】
さらに、各フレーム部における有効ライン部を形成するライン部Ｌ００４２からライン部Ｌ１１２１までの夫々を形成する、Ｙデータ系列のライン部及びＰB ／ＰR データ系列のライン部の夫々における映像データ部が、輝度信号情報をあらわすデータＹＤもしくは色差信号情報をあらわすデータＰｂＤ／ＰｒＤが配されて構成されるにあたり、上位８ビットが１６進表現で００ｈもしくはＦＦｈとなる全ての１２ビットコード，１４ビットコードもしくは１６ビットコードが、輝度信号情報をあらわすデータＹＤもしくは色差信号情報をあらわすデータＰｂＤ／ＰｒＤとしては用いられない禁止コードとされる。
【００３２】
このようにして定められる禁止コードは、図４に示される如く、量子化ビット数が１２ビットである場合、１６進表現で０００ｈ〜００Ｆｈ及びＦＦ０ｈ〜ＦＦＦｈ、即ち、 0000 0000 0000 〜 0000 0000 1111 及び 1111 1111 0000 〜 1111 1111 1111 とされ、量子化ビット数が１４ビットである場合、１６進表現で００００ｈ〜００３Ｆｈ及び３ＦＣ０ｈ〜ＦＦＦＦｈ、即ち、00 0000 0000 OOOO 〜 00 0000 0011 1111  及び  11 1111 1100 0000 〜 11 1111 1111 1111  とされ、量子化ビット数が１６ビットである場合、１６進表現で００００ｈ〜００ＦＦｈ及びＦＦ００ｈ〜ＦＦＦＦｈ、即ち、0000 0000 0000 OOOO 〜 0000 0000 1111 1111  及び  1111 1111 0000 0000 〜 1111 1111 1111 1111  とされる。
【００３３】
上述の如くにして、図３に示されるデータフォーマットを有するディジタルデータのうちの、本発明に係るデータ伝送方法の第１の態様を成す例、あるいは、本発明に係るデータ伝送装置の第１の態様を成す例による伝送に供されるものは、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式のディジタル映像信号を成すものとタルデータが形成される。
【００３４】
また、前述の図３に示されるデータフォーマットを有するディジタルデータのうちの、本発明に係るデータ伝送方法の第３の態様を成す例、あるいは、本発明に係るデータ伝送装置の第３の態様を成す例による伝送に供されるものは、Ｙデータ系列及びＰB ／ＰR データ系列が、１／５０秒毎もしくは１／６０秒毎に連なるフレーム部が設定されて形成されるとともに、その各フレーム部がライン部Ｌ０００１からライン部Ｌ１１２５までの１１２５ライン部の連なりをもって形成される。また、各フレーム部における有効ライン部がライン部Ｌ００４２からライン部Ｌ１１２１までとされ、各フレーム部における有効ライン部数を１０８０ライン部に設定される。さらに、サンプリング周波数が１４８．５ＭＨｚに設定されて、各ライン部における有効データサンプル数が１９２０サンプルに設定される。そして、量子化ビット数が１２ビット，１４ビットもしくは１６ビットに選定される。
【００３５】
斯かるもとにあっても、各フレーム部におけるライン部Ｌ０００１からライン部Ｌ１１２５までの夫々の構成、さらには、各フレーム部における有効ライン部を形成するライン部Ｌ００４２からライン部Ｌ１１２１までの夫々を形成する、Ｙデータ系列のライン部及びＰB ／ＰR データ系列のライン部の夫々における映像データ部が、輝度信号情報をあらわすデータＹＤもしくは色差信号情報をあらわすデータＰｂＤ／ＰｒＤが配されて構成されるにあたっての禁止コードの設定については、図３に示されるデータフォーマットを有するディジタルデータのうちの、本発明に係るデータ伝送方法の第１の態様を成す例、あるいは、本発明に係るデータ伝送装置の第１の態様を成す例による伝送に供されるものの場合と同様とされる。
【００３６】
このようにして、図３に示されるデータフォーマットを有するディジタルデータのうちの、本発明に係るデータ伝送方法の第３の態様を成す例、あるいは、本発明に係るデータ伝送装置の第３の態様を成す例による伝送に供されるものは、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式のディジタル映像信号を成すディジタルデータとされる。
【００３７】
図５は、本発明に係るデータ伝送方法の第２もしくは第４の態様を成す例、あるいは、本発明に係るデータ伝送装置の第２もしくは第４の態様を成す例による伝送に供されるディジタル映像信号を成すディジタルデータのデータフォーマットの例を示す。
【００３８】
図５に示されるデータフォーマットを有するディジタルデータは、量子化ビット数を１２ビットとする４：４：４形式のディジタル映像信号を成すディジタルデータを形成する。斯かるディジタルデータは、４：４：４形式のディジタル映像信号を成すものであるので、量子化ビット数を１２ビットとするＧデータ系列と量子化ビット数を１２ビットとするＢデータ系列と量子化ビット数を１２ビットとするＲデータ系列とから成るものとされる。
【００３９】
このような図５に示されるデータフォーマットを有するディジタルデータのうちの、本発明に係るデータ伝送方法の第２の態様を成す例、あるいは、本発明に係るデータ伝送装置の第２の態様を成す例による伝送に供されるものは、Ｇデータ系列，Ｂデータ系列及びＲデータ系列が、１／２４秒，１／２５秒もしくは１／３０秒毎に連なるフレーム部が設定されて形成されるとともに、その各フレーム部がライン部Ｌ０００１からライン部Ｌ１１２５までの１１２５ライン部の連なりをもって形成される。また、各フレーム部における有効ライン部がライン部Ｌ００４２からライン部Ｌ１１２１までとされ、各フレーム部における有効ライン部数が１０８０ライン部に設定される。さらに、サンプリング周波数が７４．２５ＭＨｚに設定され、各ライン部における有効データサンプル数が１９２０サンプルに設定される。そして、量子化ビット数が１２ビットに選定される。
【００４０】
斯かるもとで、各フレーム部におけるライン部Ｌ０００１からライン部Ｌ１１２５までの夫々は、量子化ビット数を１２ビットとするＧデータ系列のライン部と、量子化ビット数を１２ビットとするＢデータ系列のライン部と、量子化ビット数を１２ビットするＲデータ系列のライン部とを含むことになる。そして、特に、有効ライン部を形成するライン部Ｌ００４２からライン部Ｌ１１２１までの夫々については、それらのうちの一つであるライン部Ｌ００４２における状態が図５に例示されている如くに、それを形成する量子化ビット数を１２ビットとするＧデータ系列のライン部，量子化ビット数を１２ビットとするＢデータ系列のライン部及び量子化ビット数を１２ビットとするＲデータ系列のライン部の夫々が、ラインブランキング部と映像データ部とを含むものとして形成される。
【００４１】
そして、各ラインブランキング部が、その始端部分にタイミング基準コード：ＥＡＶが配されるとともに、その終端部分にタイミング基準コード：ＳＡＶが配されるものとされて構成される。一方、映像データ部については、Ｇデータ系列における映像データ部が、有効データサンプル数を１９２０サンプルとする緑色原色信号情報をあらわすデータＧＤが配されて構成され、Ｂデータ系列における映像データ部が、有効データサンプル数を１９２０サンプルとする青色原色信号情報をあらわすデータＢＤが配されて構成され、Ｒデータ系列における映像データ部が、有効データサンプル数を１９２０サンプルとする赤色原色信号情報をあらわすデータＲＤが配されて構成される。
【００４２】
さらに、各フレーム部における有効ライン部を形成するライン部Ｌ００４２からライン部Ｌ１１２１までの夫々を形成する、Ｇデータ系列のライン部，Ｂデータ系列のライン部及びＲデータ系列のライン部の夫々における映像データ部が、緑色原色信号情報をあらわすデータＧＤ，青色原色信号情報をあらわすデータＢＤもしくは赤色原色信号情報をあらわすデータＲＤが配されて構成されるにあたり、上位８ビットが１６進表現で００ｈもしくはＦＦｈとなる全ての１２ビットコードが、緑色原色信号情報をあらわすデータＧＤ，青色原色信号情報をあらわすデータＢＤ及び赤色原色信号情報をあらわすデータＲＤとしては用いられない禁止コードとされる。このようにして定められる禁止コードも、前述の図４に示される量子化ビット数が１２ビットである場合のものとされる。
【００４３】
上述の如くにして、図５に示されるデータフォーマットを有するディジタルデータのうちの、本発明に係るデータ伝送方法の第２の態様を成す例、あるいは、本発明に係るデータ伝送装置の第２の態様を成す例による伝送に供されるものは、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、４：４：４形式のディジタル映像信号を成すディジタルデータとされる。
【００４４】
また、図５に示されるデータフォーマットを有するディジタルデータのうちの、本発明に係るデータ伝送方法の第４の態様を成す例、あるいは、本発明に係るデータ伝送装置の第４の態様を成す例による伝送に供されるものは、Ｇデータ系列，Ｂデータ系列及びＲデータ系列が、１／５０秒毎もしくは１／６０秒毎に連なるフレーム部が設定されてけいせいされるとともに、その各フレーム部がライン部Ｌ０００１からライン部Ｌ１１２５までの１１２５ライン部の連なりをもって形成される。また、各フレーム部における有効ライン部がライン部Ｌ００４２からライン部Ｌ１１２１までとされ、各フレーム部における有効ライン部数が１０８０ライン部に設定される。さらに、サンプリング周波数が１４８．５ＭＨｚに設定され、各ライン部における有効データサンプル数が１９２０サンプルに設定される。そして、量子化ビット数が１２ビットに選定される。
【００４５】
斯かるもとにあっても、各フレーム部におけるライン部Ｌ０００１からライン部Ｌ１１２５までの夫々の構成、さらには、各フレーム部における有効ライン部を形成するライン部Ｌ００４２からライン部Ｌ１１２１までの夫々を形成する、Ｇデータ系列のライン部，Ｂデータ系列のライン部及びＲデータ系列のライン部の夫々における映像データ部が、緑色原色信号情報をあらわすデータＧＤ，青色原色信号情報をあらわすデータＢＤもしくは赤色原色信号情報をあらわすデータＲＤが配されて構成されるにあたっての禁止コードの設定については、図５に示されるデータフォーマットを有するディジタルデータのうちの、本発明に係るデータ伝送方法の第３の態様を成す例、あるいは、本発明に係るデータ伝送装置の第３の態様を成す例による伝送に供されるものの場合と同様とされる。
【００４６】
このようにして、図５に示されるデータフォーマットを有するディジタルデータのうちの、本発明に係るデータ伝送方法の第４の態様を成す例、あるいは、本発明に係るデータ伝送装置の第４の態様を成す例による伝送に供されるものは、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、４：４：４形式のディジタル映像信号を成すディジタルデータとされる。
【００４７】
上述の本発明に係るデータ伝送方法の第１〜第４の態様のうちのいずれか、あるいは、本発明に係るデータ伝送装置の第１〜第４の態様のいずれかによる伝送に供されるディジタルデータは、それらを整理してみると、図６，図７及び図８に示される如くとなる。図６に示されるディジタルデータＤＡ１２〜ＤＪ１２は、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１２ビットとして、各有効ライン部についての禁止コードが上位８ビットを１６進表現で００ｈもしくはＦＦｈとする全ての１２ビットコードとされた、４：２：２形式もしくは４：４：４形式のディジタル映像信号を成す。また、図７に示されるディジタルデータＤＡ１４〜ＤＥ１４は、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１４ビットとして、各有効ライン部についての禁止コードが上位８ビットを１６進表現で００ｈもしくはＦＦｈとする全ての１４ビットコードとされた、４：２：２形式のディジタル映像信号を成す。さらに、図８に示されるディジタルデータＤＡ１６〜ＤＥ１６は、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１６ビットとして、各有効ライン部についての禁止コードが上位８ビットを１６進表現で００ｈもしくはＦＦｈとする全ての１６ビットコードとされた、４：２：２形式のディジタル映像信号を成す。
【００４８】
図９は、本発明に係るデータ伝送方法の第１の態様もしくは第２の態様のいずれかを成す例が実施される、本発明に係るデータ伝送装置の第１の態様もしくは第２の態様のいずれかを成す第１の例を含んだデータ送受装置を示す。
【００４９】
図９に示されるデータ送受装置においては、本発明に係るデータ伝送装置の第１の例を構成する送信側において、ディジタルデータＤＶＸがデータ処理部１１に供給される。
【００５０】
ディジタルデータＤＶＸは、図６〜図８において、ＤＡ１２〜ＤＣ１２，ＤＦ１２〜ＤＨ１２，ＤＡ１４〜ＤＣ１４及びＤＡ１６〜ＤＣ１６として示される、４：２：２形式もしくは４：４：４形式のディジタル映像信号を成すディジタルデータのいずれかとされる。
【００５１】
ディジタルデータＤＶＸが、量子化ビット数を１２ビットとする４：２：２形式のディジタル映像信号を成すディジタルデータとして図６に示されるＤＡ１２〜ＤＣ１２のいずれか、例えば、ＤＡ１２である場合には、ディジタルデータＤＡ１２は、図１０のＡに示される如くに、ワード伝送レートを７４．２５ＭＢｐｓとする１２ビットワード列データとされたＹデータ系列と、ワード伝送レートを７４．２５ＭＢｐｓとする１２ビットワード列データとされたＰB ／ＰR データ系列とが、フレーム同期及びライン同期がとられたもとでパラレル多重されて得られる、ワード伝送レートを７４．２５ＭＢｐｓとする２４ビットワード列データとして、データ処理部１１に供給される。
【００５２】
データ処理部１１にあっては、図１０のＡに示される如くにして供給されるディジタルデータＤＡ１２に対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【００５３】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＡ１２Ａを、分割された上位１０ビットに基づくリンクＡとして、図１０のＢに示される如くに形成する。
【００５４】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＡ１２Ｂを、分割された下位２ビットに基づくリンクＢとして、図１０のＣに示される如くに形成する。即ち、ワード伝送レートを７４．２５ＭＢｐｓとする２４ビットワード列データであるディジタルデータＤＡ１２を、ワード伝送レートを７４．２５ＭＢｐｓとする２０ビットワード列データＤＡ１２Ａと、ワード伝送レートを７４．２５ＭＢｐｓとする２０ビットワード列データＤＡ１２Ｂとの、２系統のワード列データに変換するのである。
【００５５】
ディジタルデータＤＶＸが、図６に示されるディジタルデータＤＢ１２もしくはＤＣ１２である場合にも、ディジタルデータＤＶＸがディジタルデータＤＡ１２である場合と同様にして、ワード伝送レートを７４．２５ＭＢｐｓとする２４ビットワード列データであるＤＢ１２もしくはＤＣ１２を、各々がワード伝送レートを７４．２５ＭＢｐｓとする２０ビットワード列データである２系統のワード列データに変換する。
【００５６】
ディジタルデータＤＶＸが、量子化ビット数を１４ビットとする４：２：２形式のディジタル映像信号を成すディジタルデータとして図７に示されるＤＡ１４〜ＤＣ１４のいずれか、例えば、ＤＡ１４である場合には、ディジタルデータＤＡ１４は、図１１のＡに示される如くに、ワード伝送レートを７４．２５ＭＢｐｓとする１４ビットワード列データとされたＹデータ系列とワード伝送レートを７４．２５ＭＢｐｓとする１４ビットワード列データとされたＰB ／ＰR データ系列とが、フレーム同期及びライン同期がとられたもとでパラレル多重されて得られる、ワード伝送レートを７４．２５ＭＢｐｓとする２８ビットワード列データとして、データ処理部１１に供給される。
【００５７】
データ処理部１１にあっては、図１１のＡに示される如くにして供給されるディジタルデータＤＡ１４に対して、Ｙデータ系列を構成する１４ビットワードＹＤ０，ＹＤ１，ＹＤ２，ＹＤ３，・・・・・、及び、ＰB ／ＰR データ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
【００５８】
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列：Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＡ１４Ａを、分割された上位１０ビットに基づくリンクＡとして、図１１のＢに示される如くに形成する。
【００５９】
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を夫々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＡ１４Ｂを、分割された下位４ビットに基づくリンクＢとして、図１１のＣに示される如くに形成する。即ち、ワード伝送レートを７４．２５ＭＢｐｓとする２８ビットワード列データであるディジタルデータＤＡ１４を、ワード伝送レートを７４．２５ＭＢｐｓとする２０ビットワード列データＤＡ１４Ａと、ワード伝送レートを７４．２５ＭＢｐｓとする２０ビットワード列データＤＡ１４Ｂとの、２系統のワード列データに変換するのである。
【００６０】
ディジタルデータＤＶＸが、図７に示されるディジタルデータＤＢ１４もしくはＤＣ１４である場合にも、ディジタルデータＤＶＸがディジタルデータＤＡ１４である場合と同様にして、ワード伝送レートを７４．２５ＭＢｐｓとする２８ビットワード列データであるディジタルデータＤＢ１４もしくはＤＣ１４を、各々がワード伝送レートを７４．２５ＭＢｐｓとする２０ビットワード列データである２系統のワード列データに変換する。
【００６１】
ディジタルデータＤＶＸが、量子化ビット数を１６ビットとする４：２：２形式のディジタル映像信号を成すディジタルデータとして図８に示されるＤＡ１６〜ＤＣ１６のいずれか、例えば、ＤＡ１６である場合には、ディジタルデータＤＡ１６は、図１２のＡに示される如くに、ワード伝送レートを７４．２５ＭＢｐｓとする１６ビットワード列データとされたＹデータ系列とワード伝送レートを７４．２５ＭＢｐｓとする１６ビットワード列データとされたＰB ／ＰR データ系列とが、フレーム同期及びライン同期がとられたもとでパラレル多重されて得られる、ワード伝送レートを７４．２５ＭＢｐｓとする３２ビットワード列データとして、データ処理部１１に供給される。
【００６２】
データ処理部１１にあっては、図１２のＡに示される如くにして供給されるディジタルデータＤＡ１６に対して、Ｙデータ系列を構成する１６ビットワードＹＤ０，ＹＤ１，ＹＤ２，ＹＤ３，・・・・・、及び、ＰB ／ＰR データ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
【００６３】
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＡ１６Ａを、分割された上位１０ビットに基づくリンクＡとして、図１２のＢに示される如くに形成する。
【００６４】
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＡ１６Ｂを、分割された下位４ビットに基づくリンクＢとして、図１２のＣに示される如くに形成する。即ち、ワード伝送レートを７４．２５ＭＢｐｓとする３２ビットワード列データであるディジタルデータＤＡ１６を、ワード伝送レートを７４．２５ＭＢｐｓとする２０ビットワード列データＤＡ１６Ａと、ワード伝送レートを７４．２５ＭＢｐｓとする２０ビットワード列データＤＡ１６Ｂとの、２系統のワード列データに変換するのである。
【００６５】
ディジタルデータＤＶＸが、図８に示されるディジタルデータＤＢ１６もしくはＤＣ１６である場合にも、ディジタルデータＤＶＸがディジタルデータＤＡ１６である場合と同様にして、ワード伝送レートを７４．２５ＭＢｐｓとする３２ビットワード列データであるＤＢ１６もしくはＤＣ１６を、各々がワード伝送レートを７４．２５ＭＢｐｓとする２０ビットワード列データである２系統のワード列データに変換する。
【００６６】
ディジタルデータＤＶＸが、量子化ビット数を１２ビットとする４：４：４形式のディジタル映像信号を成すディジタルデータとして図６に示されるＤＦ１２〜ＤＨ１２のいずれか、例えば、ＤＦ１２である場合には、ディジタルデータＤＦ１２は、図１３に示される如くに、ワード伝送レートを７４．２５ＭＢｐｓとする１２ビットワード列データとされたＧデータ系列と、ワード伝送レートを７４．２５ＭＢｐｓとする１２ビットワード列データとされたＢデータ系列と、ワード伝送レートを７４．２５ＭＢｐｓとする１２ビットワード列データとされたＲデータ系列とが、フレーム同期及びライン同期がとられたもとでパラレル多重されて得られる、ワード伝送レートを７４．２５ＭＢｐｓとする３６ビットワード列データとして、データ処理部１１に供給される。
【００６７】
データ処理部１１にあっては、図１３に示される如くにして供給されるディジタルデータＤＦ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・、Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００６８】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【００６９】
次に、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図１４において太実線により区切られている如くにして区分された１０ビットワードグループ１及び１０ビットワードグループ２を得る。
【００７０】
そして、図１４に示される１０ビットワードグループ１に基づく、ワード伝送レートを７４．２５ＭＢｐｓとする２０ビットワード列データＤＦ１２Ａを、リンクＡとして、図１５のＡに示される如くに形成するとともに、図１４に示される１０ビットワードグループ２に基づく、ワード伝送レートを７４．２５ＭＢｐｓとする２０ビットワード列データＤＦ１２Ｂを、リンクＢとして、図１５のＢに示される如くに形成する。即ち、ワード伝送レートを７４．２５ＭＢｐｓとする３６ビットワード列データであるディジタルデータＤＦ１２を、ワード伝送レートを７４．２５ＭＢｐｓとする２０ビットワード列データＤＦ１２Ａと、ワード伝送レートを７４．２５ＭＢｐｓとする２０ビットワード列データＤＦ１２Ｂとの、２系統のワード列データに変換するのである。
【００７１】
データ処理部１１は、上述の如くにして得たワード伝送レートを７４．２５ＭＢｐｓとする２０ビットワード列データＤＡ１２Ａ及びＤＡ１２Ｂ，ＤＡ１４Ａ及びＤＡ１４Ｂ，ＤＡ１６Ａ及びＤＡ１６Ｂ，ＤＦ１２Ａ及びＤＦ１２Ｂ等のいずれかの組を、２０ビットワード列データＤＰＡ（２０）及びＤＰＢ（２０）の組として導出する。
【００７２】
データ処理部１１から送出されるワード伝送レートを７４．２５ＭＢｐｓとする２０ビットワード列データＤＰＡ（２０）は、データ挿入部１２に供給される。データ挿入部１２にあっては、２０ビットワード列データＤＰＡ（２０）に、必要に応じたチャンネル識別データを含む補助データＤＡＡを挿入し、補助データＤＡＡが挿入された２０ビットワード列データＤＰＡ’（２０）を形成する。データ挿入部１２から得られる２０ビットワード列データＤＰＡ’（２０）は、Ｐ／Ｓ変換部１３に供給される。
【００７３】
Ｐ／Ｓ変換部１３にあっては、２０ビットワード列データＤＰＡ’（２０）にＰ／Ｓ変換を施して、２０ビットワード列データＤＰＡ’（２０）に基づくビット伝送レートを７４．２５ＭＢｐｓ×２０＝１．４８５ＧｂｐｓとするシリアルデータＤＳＡを形成し、そのシリアルデータＤＳＡをビット多重部１４に供給する。
【００７４】
一方、データ処理部１１から送出されるワード伝送レートを７４．２５ＭＢｐｓとする２０ビットワード列データＤＰＢ（２０）は、データ挿入部１５に供給される。データ挿入部１５にあっては、２０ビットワード列データＤＰＢ（２０）に、必要に応じたチャンネル識別データを含む補助データＤＡＢを挿入し、補助データＤＡＢが挿入された２０ビットワード列データＤＰＢ’（２０）を形成する。データ挿入部１５から得られる２０ビットワード列データＤＰＢ’（２０）は、Ｐ／Ｓ変換部１６に供給される。
【００７５】
Ｐ／Ｓ変換部１６にあっては、２０ビットワード列データＤＰＢ’（２０）にＰ／Ｓ変換を施して、２０ビットワード列データＤＰＢ’（２０）に基づくビット伝送レートを７４．２５ＭＢｐｓ×２０＝１．４８５ＧｂｐｓとするシリアルデータＤＳＢを形成し、そのシリアルデータＤＳＢをビット多重部１４に供給する。
【００７６】
ビット多重部１４にあっては、シリアルデータＤＳＡ及びシリアルデータＤＳＢの夫々から１ビットずつを交互に取り出して順次配列する動作を行い、シリアルデータＤＳＡとシリアルデータＤＳＢとにビット多重合成処理を施して、ビット伝送レートを１．４８５Ｇｂｐｓ×２＝２．９７Ｇｂｐｓとする複合シリアルデータＤＳＺを形成する。
【００７７】
ビット多重部１４から得られる複合シリアルデータＤＳＺは、電光変換部（Ｅ／Ｏ変換部）１７に供給される。Ｅ／Ｏ変換部１７においては、複合シリアルデータＤＳＺに電光変換処理を施し、複合シリアルデータＤＳＺに基づく中心波長を、例えば、略１．３μｍとする光信号ＯＺＶを、ビット伝送レートを２．９７Ｇｂｐｓとするものとして形成し、それを伝送信号として送出する。斯かるもとで、ビット多重部１４及びＥ／Ｏ変換部１７は、Ｐ／Ｓ変換部１３及び１６から夫々得られるシリアルデータＤＳＡ及びＤＳＢを伝送すべく送出するデータ送出部を形成している。
【００７８】
Ｅ／Ｏ変換部１７から送出される伝送信号である光信号ＯＺＶは、光コネクタ１８を通じて光ファイバー伝送路２０に導かれ、光ファイバー伝送路２０を通じて受信側へと伝送される。光ファイバー伝送路２０は、例えば、石英系シングルモードファイバー（石英系ＳＭＦ）が用いられて形成される。
【００７９】
受信側においては、光ファイバー伝送路２０を通じて伝送された光信号ＯＺＶが、光コネクタ２１を通じて光電変換部（Ｏ／Ｅ変換部）２２へと導かれる。Ｏ／Ｅ変換部２２にあっては、中心波長を略１．３μｍとする光信号ＯＺＶに光電変換処理を施して、ビット伝送レートを２．９７Ｇｂｐｓとし、中心波長を略１．３μｍとする光信号ＯＺＶに基づく、ビット伝送レートを２．９７Ｇｂｐｓとする複合シリアルデータＤＳＺを再生する。そして、再生された複合シリアルデータＤＳＺは、ビット分離部２３に供給される。
【００８０】
ビット分離部２３にあっては、複合シリアルデータＤＳＺから１ビットずつを順次取り出して、２個の一つ置きのビットのグループを形成する動作を行い、複合シリアルデータＤＳＺにビット分離処理を施す。そして、複合シリアルデータＤＳＺに含まれたチャンネル識別データを利用してチャンネルを特定し、複合シリアルデータＤＳＺに基づく、各々がビット伝送レートを２．９７Ｇｂｐｓ／２＝１．４８５Ｇｂｐｓとする２チャンネルのシリアルデータＤＳＡ及びＤＳＢを形成する。シリアルデータＤＳＡは、シリアル／パラレル（Ｓ／Ｐ）変換部２４に供給され、また、シリアルデータＤＳＢは、Ｓ／Ｐ変換部２５に供給される。
【００８１】
Ｓ／Ｐ変換部２４にあっては、シリアルデータＤＳＡにＳ／Ｐ変換を施して、シリアルデータＤＳＡに基づく、ワード伝送レートを７４．２５ＭＢｐｓとする２０ビットワード列データＤＰＡ’（２０）を再生し、それをデータ分離部２６に供給する。データ分離部２６にあっては、２０ビットワード列データＤＰＡ’（２０）から、チャンネル識別データを含んだ補助データＤＡＡが分離されて、２０ビットワード列データＤＰＡ（２０）と補助データＤＡＡとが個別に送出され、２０ビットワード列データＤＰＡ（２０）は、データ時間差吸収部２７に供給される。
【００８２】
また、Ｓ／Ｐ変換部２５にあっては、シリアルデータＤＳＢにＳ／Ｐ変換を施して、シリアルデータＤＳＢに基づく、ワード伝送レートを７４．２５ＭＢｐｓとする２０ビットワード列データＤＰＢ’（２０）を再生し、それをデータ分離部２８に供給する。データ分離部２８にあっては、２０ビットワード列データＤＰＢ’（２０）から、チャンネル識別データを含んだ補助データＤＡＢが分離されて、２０ビットワード列データＤＰＢ（２０）と補助データＤＡＢとが個別に送出され、２０ビットワード列データＤＰＢ（２０）は、データ時間差吸収部２７に供給される。
【００８３】
データ時間差吸収部２７にあっては、データ分離部２６からの２０ビットワード列データＤＰＡ（２０）とデータ分離部２８からの２０ビットワード列データＤＰＢ（２０）との間に生じた相互時間差を吸収し、２０ビットワード列データＤＰＡ（２０）に基づくワード伝送レートを７４．２５ＭＢｐｓとする２０ビットワード列データＤＰＡＱ（２０）と、２０ビットワード列データＤＰＢ（２０）に基づくワード伝送レートを７４．２５ＭＢｐｓとする２０ビットワード列データＤＰＢＱ（２０）とを、相互時間差が実質的に無い状態に維持されることが目指されるものとして送出する。
【００８４】
データ時間差吸収部２７から得られる２０ビットワード列データＤＰＡＱ（２０）と２０ビットワード列データＤＰＢＱ（２０）とは、データ再生処理部３０に供給される。データ再生処理部３０にあっては、２０ビットワード列データＤＰＡＱ（２０）と２０ビットワード列データＤＰＢＱ（２０）とに対して、送信側におけるデータ処理部１１によりディジタルデータＤＶＸに施されるデータ変換処理とは逆のデータ再生処理を施し、２０ビットワード列データＤＰＡＱ（２０）と２０ビットワード列データＤＰＢＱ（２０）とに基づくディジタルデータＤＶＸを再生する。
【００８５】
斯かるディジタルデータＤＶＸは、図６〜図８において、ＤＡ１２〜ＤＣ１２，ＤＦ１２〜ＤＨ１２，ＤＡ１４〜ＤＣ１４及びＤＡ１６〜ＤＣ１６として示される、４：２：２形式もしくは４：４：４形式のディジタル映像信号を成すディジタルデータのいずれかとされる。
【００８６】
図１６は、本発明に係るデータ伝送方法の第１の態様もしくは第２の態様を成す例が実施される、本発明に係るデータ伝送装置の第１の態様もしくは第２の態様を成す第２の例を含んだデータ送受装置の部分を示す。
【００８７】
図１６に部分が示されるデータ送受装置は、図９に示されるデータ送受装置と同様に構成される部分を多々有しており、図１６には、図９に示されるデータ送受装置と異なる部分及びそれに関連する部分のみが示されている。
【００８８】
図１６に部分が示されるデータ送受装置にあっては、図９に示されるデータ送受装置において備えられているビット多重部１４及びビット分離部２３は備えず、また、図９に示されるデータ送受装置において備えられているＥ／Ｏ変換部１７とＯ／Ｅ変換部２２とに代えて、Ｅ／Ｏ変換部３１及び３２とＯ／Ｅ変換部３８及び３９とを備えている。
【００８９】
斯かる図１６に部分が示されるデータ送受装置においては、Ｐ／Ｓ変換部１３からのビット伝送レートを１．４８５ＧｂｐｓとするシリアルデータＤＳＡがＥ／Ｏ変換部３１に供給されるとともに、Ｐ／Ｓ変換部１６からのビット伝送レートを１．４８５ＧｂｐｓとするシリアルデータＤＳＢがＥ／Ｏ変換部３２に供給される。Ｅ／Ｏ変換部３１においては、シリアルデータＤＳＡに電光変換処理を施し、シリアルデータＤＳＡに基づく、中心波長を、例えば、略１．３μｍとする光信号ＯＳＡを、ビット伝送レートを１．４８５Ｇｂｐｓとするものとして形成し、それを合波部３３へと導く。また、Ｅ／Ｏ変換部３２においては、シリアルデータＤＳＢに電光変換処理を施し、シリアルデータＤＳＢに基づく、中心波長を、例えば、略１．５５μｍとする光信号ＯＳＢを、ビット伝送レートを１．４８５Ｇｂｐｓとするものとして形成し、それを合波部３３へと導く。
【００９０】
合波部３３は、例えば、ファイバー型波長多重カップラ（ファイバー型ＷＤＭカップラ）によって形成される。合波部３３にあっては、中心波長を略１．３μｍとする光信号ＯＳＡと中心波長を略１．５５μｍとする光信号ＯＳＢとを合波して多重化し、多重光信号ＯＳＺを形成して、それを伝送信号として送出する。斯かるもとで、Ｅ／Ｏ変換部３１及び３２及び合波部３３は、Ｐ／Ｓ変換部１３及び１６から夫々得られるシリアルデータＤＳＡ及びＤＳＢを伝送すべく送出するデータ送出部を形成している。
【００９１】
合波部３３から送出される伝送信号である多重光信号ＯＳＺは、光コネクタ３４を通じて光ファイバー伝送路３５に導かれ、光ファイバー伝送路３５を通じて受信側へと伝送される。光ファイバー伝送路３５は、例えば、石英系ＳＭＦが用いられて形成される。
【００９２】
受信側においては、光ファイバー伝送路３５を通じて伝送された多重光信号ＯＳＺが、光コネクタ３６を通じて分波部３７へと導かれる。分波部３７は、例えば、ファイバー型ＷＤＭカップラが分波手段として用いられて形成される。そして、分波部３７にあっては、多重光信号ＯＳＺを、中心波長を略１．３μｍとする成分と中心波長を略１．５５μｍとする成分とに分波して、ビット伝送レートを１．４８５Ｇｂｐｓとし、中心波長を略１．３μｍとする光信号ＯＳＡと、ビット伝送レートを１．４８５Ｇｂｐｓとし、中心波長を略１．５５μｍとする光信号ＯＳＢとを再生する。
【００９３】
分波部３７により再生された光信号ＯＳＡ及びＯＳＢは、夫々、Ｏ／Ｅ変換部３８及び３９へと導かれる。Ｏ／Ｅ変換部３８にあっては、中心波長を略１．３μｍとする光信号ＯＳＡに光電変換処理を施して、ビット伝送レートを１．４８５Ｇｂｐｓとし、中心波長を略１．３μｍとする光信号ＯＳＡに基づく、ビット伝送レートを１．４８５ＧｂｐｓとするシリアルデータＤＳＡを再生する。そして、再生されたシリアルデータＤＳＡは、Ｓ／Ｐ変換部２４に供給される。また、Ｏ／Ｅ変換部３９にあっては、中心波長を略１．５５μｍとする光信号ＯＳＢに光電変換処理を施して、ビット伝送レートを１．４８５Ｇｂｐｓとし、中心波長を略１．５５μｍとする光信号ＯＳＢに基づく、ビット伝送レートを１．４８５ＧｂｐｓとするシリアルデータＤＳＢを再生する。そして、再生されたシリアルデータＤＳＢは、Ｓ／Ｐ変換部２５に供給される。その他の動作は、図９に示されるデータ送受装置の場合と同様である。
【００９４】
図１７は、本発明に係るデータ伝送方法の第１の態様もしくは第２の態様を成す例が実施される、本発明に係るデータ伝送装置の第１の態様もしくは第２の態様を成す第３の例を含んだデータ送受装置の部分を示す。
【００９５】
図１７に部分が示されるデータ送受装置は、図１６に部分が示されるデータ送受装置と同様に構成される部分を多々有しており、図１７には、図１６に部分が示されるデータ送受装置と異なる部分及びそれに関連する部分のみが示されている。
【００９６】
図１７に部分が示されるデータ送受装置にあっては、図１６に部分が示されるデータ送受装置において備えられている合波部３３及び分波部３７は備えていず、また、図１６に部分が示されるデータ送受装置において備えられているＥ／Ｏ変換部３２及びＯ／Ｅ変換部３９に夫々代えて、Ｅ／Ｏ変換部４０及びＯ／Ｅ変換部４１を備えている。
【００９７】
斯かる図１７に部分が示されるデータ送受装置においては、Ｅ／Ｏ変換部４０に、ビット伝送レートを１．４８５ＧｂｐｓとするシリアルデータＤＳＢが供給され、Ｅ／Ｏ変換部４０から、シリアルデータＤＳＢに基づく、中心波長を、例えば、略１．３μｍとする光信号ＯＳＢが、ビット伝送レートを１．４８５Ｇｂｐｓとするものとして導出される。斯かるもとで、Ｅ／Ｏ変換部３１及び４０は、Ｐ／Ｓ変換部１３及び１６から夫々得られるシリアルデータＤＳＡ及びＤＳＢを伝送すべく送出するデータ送出部を形成している。
【００９８】
そして、Ｅ／Ｏ変換部３１から導出される、ビット伝送レートを１．４８５Ｇｂｐｓとし、中心波長を略１．３μｍとする光信号ＯＳＡが、光コネクタ４２を通じて光ファイバー伝送路４３に導かれ、光ファイバー伝送路４３を通じて受信側へと伝送されるとともに、Ｅ／Ｏ変換部４０から導出される、ビット伝送レートを１．４８５Ｇｂｐｓとし、中心波長を略１．３μｍとする光信号ＯＳＢが、光コネクタ４４を通じて光ファイバー伝送路４５に導かれ、光ファイバー伝送路４５を通じて受信側へと伝送される。光ファイバー伝送路４３及び４５の夫々も、例えば、石英系ＳＭＦが用いられて形成される。
【００９９】
受信側においては、光ファイバー伝送路４３を通じて伝送された光信号ＯＳＡが、光コネクタ４６を通じてＯ／Ｅ変換部３８へと導かれ、Ｏ／Ｅ変換部３８において、ビット伝送レートを１．４８５Ｇｂｐｓとし、中心波長を略１．３μｍとする光信号ＯＳＡに基づいて、ビット伝送レートを１．４８５ＧｂｐｓとするシリアルデータＤＳＡが再生される。また、光ファイバー伝送路４５を通じて伝送された光信号ＯＳＢが、光コネクタ４７を通じてＯ／Ｅ変換部４１へと導かれ、Ｏ／Ｅ変換部４１において、ビット伝送レートを１．４８５Ｇｂｐｓとし、中心波長を略１．３μｍとする光信号ＯＳＢに基づいて、ビット伝送レートを１．４８５ＧｂｐｓとするシリアルデータＤＳＢが再生される。その他の動作は、図１６に部分が示されるデータ送受装置の場合と同様である。
【０１００】
図１８及び図１９は、本発明に係るデータ伝送方法の第３の態様もしくは第４の態様を成す例が実施される、本発明に係るデータ伝送装置の第３の態様もしくは第４の態様を成す第４の例を含んだデータ送受装置を示す。
【０１０１】
図１８及び図１９に示されるデータ送受装置においては、本発明に係るデータ伝送装置の第４の例を構成する送信側において、ディジタル映像信号を成すディジタルデータＤＶＸがデータ処理部１１１に供給される。
【０１０２】
ディジタルデータＤＶＸは、図６〜図８において、ＤＤ１２，ＤＥ１２，ＤＤ１４，ＤＥ１４，ＤＤ１６，ＤＥ１６，ＤＩ１２及びＤＪ１２として示される、４：２：２形式もしくは４：４：４形式のディジタル映像信号を成すディジタルデータのいずれかとされる。
【０１０３】
ディジタルデータＤＶＸが、ディジタルデータＤＤ１２である場合には、ディジタルデータＤＤ１２は、図２０に示される如くに、ワード伝送レートを１４８．５ＭＢｐｓとする１２ビットワード列データとされたＹデータ系列とワード伝送レートを１４８．５ＭＢｐｓとする１２ビットワード列データとされたＰB ／ＰR データ系列とが、フレーム同期及びライン同期がとられたもとでパラレル多重されて得られる、ワード伝送レートを１４８．５ＭＢｐｓとする２４ビットワード列データとして、データ処理部１１１に供給される。
【０１０４】
データ処理部１１１にあっては、図２０に示される如くにして供給されるディジタルデータＤＤ１２に対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰB ／ＰR データ系列の夫々の１ライン部置きのデータに基づいて、ワード伝送レートを１４８．５ＭＢｐｓ／２＝７４．２５ＭＢｐｓとする２４ビットワード列データＤＤ１２Ａを、リンクＡとして、図２１のＡに示される如くに形成するとともに、グループ２を構成するＹデータ系列及びＰB ／ＰR データ系列の夫々の他の１ライン部置きのデータに基づいて、ワード伝送レートを１４８．５ＭＢｐｓ／２＝７４．２５ＭＢｐｓとする２４ビットワード列データＤＤ１２Ｂを、リンクＢとして、図２１のＢに示される如くに形成する。
【０１０５】
次に、図２１のＡに示される如くの、ワード伝送レートを７４．２５ＭＢｐｓとする２４ビットワード列データＤＤ１２Ａに対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【０１０６】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＤ１２Ａ１を、分割された上位１０ビットに基づくリンクＡ−１として、図２２のＡに示される如くに形成する。
【０１０７】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＤ１２Ａ２を、分割された下位２ビットに基づくリンクＡ−２として、図２２のＢに示される如くに形成する。即ち、ワード伝送レートを７４．２５ＭＢｐｓとする２４ビットワード列データであるＤＤ１２Ａを、ワード伝送レートを７４．２５ＭＢｐｓとする２０ビットワード列データＤＤ１２Ａ１と、ワード伝送レートを７４．２５ＭＢｐｓとする２０ビットワード列データＤＤ１２Ａ２との、２系統のワード列データに変換するのである。
【０１０８】
また、図２１のＢに示される如くの、ワード伝送レートを７４．２５ＭＢｐｓとする２４ビットワード列データＤＤ１２Ｂに対しても、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【０１０９】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＤ１２Ｂ１を、分割された上位１０ビットに基づくリンクＢ−１として、図２３のＡに示される如くに形成する。
【０１１０】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＤ１２Ｂ２を、分割された下位２ビットに基づくリンクＢ−２として、図２３のＢに示される如くに形成する。即ち、ワード伝送レートを７４．２５ＭＢｐｓとする２４ビットワード列データであるＤＤ１２Ｂを、ワード伝送レートを７４．２５ＭＢｐｓとする２０ビットワード列データＤＤ１２Ｂ１と、ワード伝送レートを７４．２５ＭＢｐｓとする２０ビットワード列データＤＤ１２Ｂ２との、２系統のワード列データに変換するのである。
【０１１１】
その結果、データ処理部１１１に供給されるディジタルデータＤＶＸが、ワード伝送レートを１４８．５ＭＢｐｓとする２４ビットワード列データを成すディジタルデータＤＤ１２である場合には、データ処理部１１１において、ディジタルデータＤＤ１２が、各々がワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の４系統のワード列データに変換されることになる。
【０１１２】
ディジタルデータＤＶＸが、ディジタルデータＤＥ１２である場合には、ディジタルデータＤＥ１２も、図２０に示される如くに、ワード伝送レートを１４８．５ＭＢｐｓとする１２ビットワード列データとされたＹデータ系列と、ワード伝送レートを１４８．５ＭＢｐｓとする１２ビットワード列データとされたＰB ／ＰR データ系列とが、フレーム同期及びライン同期がとられたもとでパラレル多重されて得られる、ワード伝送レートを１４８．５ＭＢｐｓとする２４ビットワード列データとして、データ処理部１１１に供給される。それにより、データ処理部１１１において、ディジタルデータＤＥ１２が、ディジタルデータＤＤ１２の場合と同様にして、各々がワード伝送レートを７４．２５ＭＢｐｓとする２０ビットワード列データＤＥ１２Ａ１，ＤＥ１２Ａ２，ＤＥ１２Ｂ１及びＤＥ１２Ｂ２の４系統のワード列データに変換されることになる。
【０１１３】
ディジタルデータＤＶＸが、ディジタルデータＤＤ１４である場合には、ディジタルデータＤＤ１４は、図２４に示される如くに、ワード伝送レートを１４８．５ＭＢｐｓとする１４ビットワード列データとされたＹデータ系列と、ワード伝送レートを１４８．５ＭＢｐｓとする１４ビットワード列データとされたＰB ／ＰR データ系列とが、フレーム同期及びライン同期がとられたもとでパラレル多重されて得られる、ワード伝送レートを１４８．５ＭＢｐｓとする２８ビットワード列データとして、データ処理部１１１に供給される。
【０１１４】
データ処理部１１１にあっては、図２４に示される如くにして供給されるディジタルデータＤＤ１４に対して、Ｙデータ系列を構成する１４ビットワードＹＤ０，ＹＤ１，ＹＤ２，ＹＤ３，・・・・・、及び、ＰB ／ＰR データ系列を構成する１４ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰB ／ＰR データ系列の夫々の１ライン部置きのデータに基づいて、ワード伝送レートを１４８．５ＭＢｐｓ／２＝７４．２５ＭＢｐｓとする２８ビットワード列データＤＤ１４Ａを、リンクＡとして、図２５のＡに示される如くに形成するとともに、グループ２を構成するＹデータ系列及びＰB ／ＰR データ系列の夫々の他の１ライン部置きのデータに基づいて、ワード伝送レートを１４８．５ＭＢｐｓ／２＝７４．２５ＭＢｐｓとする２８ビットワード列データＤＤ１４Ｂを、リンクＢとして、図２５のＢに示される如くに形成する。
【０１１５】
次に、図２５のＡに示される如くの、ワード伝送レートを７４．２５ＭＢｐｓとする２８ビットワード列データＤＤ１４Ａに対して、Ｙデータ系列を構成する１４ビットワードＹＤ０，ＹＤ１，ＹＤ２，ＹＤ３，・・・・・、及び、ＰB ／ＰR データ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
【０１１６】
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列：Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＤ１４Ａ１を、分割された上位１０ビットに基づくリンクＡ−１として、図２６のＡに示される如くに形成する。
【０１１７】
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を夫々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＤ１４Ａ２を、分割された下位４ビットに基づくリンクＡ−２として、図２６のＢに示される如くに形成する。即ち、ワード伝送レートを７４．２５ＭＢｐｓとする２８ビットワード列データであるディジタルデータＤＤ１４Ａを、ワード伝送レートを７４．２５ＭＢｐｓとする２０ビットワード列データＤＤ１４Ａ１と、ワード伝送レートを７４．２５ＭＢｐｓとする２０ビットワード列データＤＤ１４Ａ２との、２系統のワード列データに変換するのである。
【０１１８】
また、図２５のＢに示される如くの、ワード伝送レートを７４．２５ＭＢｐｓとする２８ビットワード列データＤＤ１４Ｂに対しても、Ｙデータ系列を構成する１４ビットワードＹＤ０，ＹＤ１，ＹＤ２，ＹＤ３，・・・・・、及び、ＰB ／ＰR データ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
【０１１９】
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列：Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＤ１４Ｂ１を、分割された上位１０ビットに基づくリンクＢ−１として、図２７のＡに示される如くに形成する。
【０１２０】
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を  々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＤ１４Ｂ２を、分割された下位４ビットに基づくリンクＢ−２として、図２７のＢに示される如くに形成する。即ち、ワード伝送レートを７４．２５ＭＢｐｓとする２８ビットワード列データであるＤＤ１４Ｂを、ワード伝送レートを７４．２５ＭＢｐｓとする２０ビットワード列データＤＤ１４Ｂ１と、ワード伝送レートを７４．２５ＭＢｐｓとする２０ビットワード列データＤＤ１４Ｂ２との、２系統のワード列データに変換するのである。
【０１２１】
その結果、データ処理部１１１に供給されるディジタルデータＤＶＸが、ワード伝送レートを１４８．５ＭＢｐｓとする２８ビットワード列データを成すディジタルデータＤＤ１４である場合には、データ処理部１１１において、ディジタルデータＤＤ１４が、各々がワード伝送レートを７４．２５ＭＢｐｓとする２０ビットワード列データＤＤ１４Ａ１，ＤＤ１４Ａ２，ＤＤ１４Ｂ１及びＤＤ１４Ｂ２の４系統のワード列データに変換されることになる。
【０１２２】
ディジタルデータＤＶＸが、ディジタルデータＤＥ１４である場合には、ディジタルデータＤＥ１４も、図２４に示される如くに、ワード伝送レートを１４８．５ＭＢｐｓとする１４ビットワード列データとされたＹデータ系列と、ワード伝送レートを１４８．５ＭＢｐｓとする１４ビットワード列データとされたＰB ／ＰR データ系列とが、フレーム同期及びライン同期がとられたもとでパラレル多重されて得られる、ワード伝送レートを１４８．５ＭＢｐｓとする２８ビットワード列データとして、データ処理部１１１に供給される。それにより、データ処理部１１１において、ディジタルデータＤＥ１４が、ディジタルデータＤＤ１４の場合と同様にして、各々がワード伝送レートを７４．２５ＭＢｐｓとする２０ビットワード列データＤＥ１４Ａ１，ＤＥ１４Ａ２，ＤＥ１４Ｂ１及びＤＥ１４Ｂ２の４系統のワード列データに変換されることになる。
【０１２３】
ディジタルデータＤＶＸが、ディジタルデータＤＤ１６である場合には、ディジタルデータＤＤ１６は、図２８に示される如くに、ワード伝送レートを１４８．５ＭＢｐｓとする１６ビットワード列データとされたＹデータ系列と、ワード伝送レートを１４８．５ＭＢｐｓとする１６ビットワード列データとされたＰB ／ＰR データ系列とが、フレーム同期及びライン同期がとられたもとでパラレル多重されて得られる、ワード伝送レートを１４８．５ＭＢｐｓとする３２ビットワード列データとして、データ処理部１１１に供給される。
【０１２４】
データ処理部１１１にあっては、図２８に示される如くにして供給されるディジタルデータＤＤ１６に対して、Ｙデータ系列を構成する１６ビットワードＹＤ０，ＹＤ１，ＹＤ２，ＹＤ３，・・・・・、及び、ＰB ／ＰR データ系列を構成する１６ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰB ／ＰR データ系列の夫々の１ライン部置きのデータに基づいて、ワード伝送レートを１４８．５ＭＢｐｓ／２＝７４．２５ＭＢｐｓとする３２ビットワード列データＤＤ１６Ａを、リンクＡとして、図２９のＡに示される如くに形成するとともに、グループ２を構成するＹデータ系列及びＰB ／ＰR データ系列の夫々の他の１ライン部置きのデータに基づいて、ワード伝送レートを１４８．５ＭＢｐｓ／２＝７４．２５ＭＢｐｓとする３２ビットワード列データＤＤ１６Ｂを、リンクＢとして、図２９のＢに示される如くに形成する。
【０１２５】
次に、図２９のＡに示される如くの、ワード伝送レートを７４．２５ＭＢｐｓとする３２ビットワード列データＤＤ１６Ａに対して、Ｙデータ系列を構成する１６ビットワードＹＤ０，ＹＤ１，ＹＤ２，ＹＤ３，・・・・・、及び、ＰB ／ＰR データ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
【０１２６】
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＤ１６Ａ１を、分割された上位１０ビットに基づくリンクＡ−１として、図３０のＡに示される如くに形成する。
【０１２７】
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＤ１６Ａ２を、分割された下位６ビットに基づくリンクＡ−２として、図３０のＢに示される如くに形成する。即ち、ワード伝送レートを７４．２５ＭＢｐｓとする３２ビットワード列データであるディジタルデータＤＤ１６Ａを、ワード伝送レートを７４．２５ＭＢｐｓとする２０ビットワード列データＤＤ１６Ａ１と、ワード伝送レートを７４．２５ＭＢｐｓとする２０ビットワード列データＤＤ１６Ａ２との、２系統のワード列データに変換するのである。
【０１２８】
また、図２９のＢに示される如くの、ワード伝送レートを７４．２５ＭＢｐｓとする３２ビットワード列データＤＤ１６Ｂに対しても、Ｙデータ系列を構成する１６ビットワードＹＤ０，ＹＤ１，ＹＤ２，ＹＤ３，・・・・・、及び、ＰB ／ＰR データ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
【０１２９】
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＤ１６Ｂ１を、分割された上位１０ビットに基づくリンクＢ−１として、図３１のＡに示される如くに形成する。
【０１３０】
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＤ１６Ｂ２を、分割された下位６ビットに基づくリンクＢ−２として、図３１のＢに示される如くに形成する。即ち、ワード伝送レートを７４．２５ＭＢｐｓとする３２ビットワード列データであるディジタルＤＤ１６Ｂを、ワード伝送レートを７４．２５ＭＢｐｓとする２０ビットワード列データＤＤ１６Ｂ１と、ワード伝送レートを７４．２５ＭＢｐｓとする２０ビットワード列データＤＤ１６Ｂ２との、２系統のワード列データに変換するのである。
【０１３１】
その結果、データ処理部１１１に供給されるディジタルデータＤＶＸが、ワード伝送レートを１４８．５ＭＢｐｓとする３２ビットワード列データを成すディジタルデータＤＤ１６である場合には、データ処理部１１１において、ディジタルデータＤＤ１６が、各々がワード伝送レートを７４．２５ＭＢｐｓとする２０ビットワード列データＤＤ１６Ａ１，ＤＤ１６Ａ２，ＤＤ１６Ｂ１及びＤＤ１６Ｂ２の４系統のワード列データに変換されることになる。
【０１３２】
ディジタルデータＤＶＸが、ディジタルデータＤＥ１６である場合には、ディジタルデータＤＥ１６も、図２８に示される如くに、ワード伝送レートを１４８．５ＭＢｐｓとする１６ビットワード列データとされたＹデータ系列と、ワード伝送レートを１４８．５ＭＢｐｓとする１６ビットワード列データとされたＰB ／ＰR データ系列とが、フレーム同期及びライン同期がとられたもとでパラレル多重されて得られる、ワード伝送レートを１４８．５ＭＢｐｓとする３２ビットワード列データとして、データ処理部１１１に供給される。それにより、データ処理部１１１において、ディジタルデータＤＥ１６が、ディジタルデータＤＤ１６の場合と同様にして、各々がワード伝送レートを７４．２５ＭＢｐｓとする２０ビットワード列データＤＥ１６Ａ１，ＤＥ１６Ａ２，ＤＥ１６Ｂ１及びＤＥ１６Ｂ２の４系統のワード列データに変換されることになる。
【０１３３】
ディジタルデータＤＶＸが、ディジタルデータＤＩ１２である場合には、ディジタルデータＤＩ１２は、図３２に示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部１１１に供給される。
【０１３４】
データ処理部１１１にあっては、図３２に示される如くにして供給されるディジタルデータＤＩ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３６ビットワード列データＤＩ１２Ａを、リンクＡとして、図３３のＡに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３６ビットワード列データＤＩ１２Ｂを、リンクＢとして、図３３のＢに示される如くに形成する。
【０１３５】
次に、図３３のＡに示される如くの、ワード伝送レートを７４．２５ＭＢｐｓとする３６ビットワード列データＤＩ１２Ａに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【０１３６】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【０１３７】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図３４において太実線により区切られている如くにして区分された１０ビットワードグループ１及び１０ビットワードグループ２を得る。
【０１３８】
そして、図３４に示される１０ビットワードグループ１に基づく、ワード伝送レートを７４．２５ＭＢｐｓとする２０ビットワード列データＤＩ１２Ａ１を、リンクＡ−１として、図３５のＡに示される如くに形成するとともに、図３４に示される１０ビットワードグループ２に基づく、ワード伝送レートを７４．２５ＭＢｐｓとする２０ビットワード列データＤＩ１２Ａ２を、リンクＡ−２として、図３５のＢに示される如くに形成する。即ち、ワード伝送レートを７４．２５ＭＢｐｓとする３６ビットワード列データであるＤＩ１２Ａを、ワード伝送レートを７４．２５ＭＢｐｓとする２０ビットワード列データＤＩ１２Ａ１と、ワード伝送レートを７４．２５ＭＢｐｓとする２０ビットワード列データＤＩ１２Ａ２との、２系統のワード列データに変換するのである。
【０１３９】
また、図３３のＢに示される如くの、ワード伝送レートを７４．２５ＭＢｐｓとする３６ビットワード列データＤＩ１２Ｂに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【０１４０】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【０１４１】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図３４において太実線により区切られている如くにして区分された１０ビットワードグループ１及び１０ビットワードグループ２を得る。
【０１４２】
そして、図３４に示される１０ビットワードグループ１に基づく、ワード伝送レートを７４．２５ＭＢｐｓとする２０ビットワード列データＤＩ１２Ｂ１を、リンクＢ−１として、図３６のＡに示される如くに形成するとともに、図３４に示される１０ビットワードグループ２に基づく、ワード伝送レートを７４．２５ＭＢｐｓとする２０ビットワード列データＤＩ１２Ｂ２を、リンクＢ−２として、図３６のＢに示される如くに形成する。即ち、ワード伝送レートを７４．２５ＭＢｐｓとする３６ビットワード列データであるＤＩ１２Ｂを、ワード伝送レートを７４．２５ＭＢｐｓとする２０ビットワード列データＤＩ１２Ｂ１と、ワード伝送レートを７４．２５ＭＢｐｓとする２０ビットワード列データＤＩ１２Ｂ２との、２系統のワード列データに変換するのである。
【０１４３】
その結果、データ処理部１１１に供給されるディジタルデータＤＶＸが、ワード伝送レートを１４８．５ＭＢｐｓとする３６ビットワード列データを成すディジタルデータＤＩ１２である場合には、データ処理部１１１において、ディジタルデータＤＩ１２が、各々がワード伝送レートを７４．２５ＭＢｐｓとする２０ビットワード列データＤＩ１２Ａ１，ＤＩ１２Ａ２，ＤＩ１２Ｂ１及びＤＩ１２Ｂ２の４系統のワード列データに変換されることになる。
【０１４４】
ディジタルデータＤＶＸが、ディジタルデータＤＪ１２である場合には、ディジタルデータＤＪ１２も、図３２に示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部１１１に供給される。それにより、データ処理部１１１において、ディジタルデータＤＪ１２が、ディジタルデータＤＩ１２の場合と同様にして、各々がワード伝送レートを７４．２５ＭＢｐｓとする２０ビットワード列データＤＪ１２Ａ１，ＤＪ１２Ａ２，ＤＪ１２Ｂ１及びＤＪ１２Ｂ２の４系統のワード列データに変換されることになる。
【０１４５】
データ処理部１１１は、上述の如くにして得たワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の組，ＤＥ１２Ａ１，ＤＥ１２Ａ２，ＤＥ１２Ｂ１及びＤＥ１２Ｂ２の組，ＤＤ１４Ａ１，ＤＤ１４Ａ２，ＤＤ１４Ｂ１及びＤＤ１４Ｂ２の組，ＤＥ１４Ａ１，ＤＥ１４Ａ２，ＤＥ１４Ｂ１及びＤＥ１４Ｂ２の組，ＤＤ１６Ａ１，ＤＤ１６Ａ２，ＤＤ１６Ｂ１及びＤＤ１６Ｂ２の組，ＤＥ１６Ａ１，ＤＥ１６Ａ２，ＤＥ１６Ｂ１及びＤＥ１６Ｂ２の組，ＤＩ１２Ａ１，ＤＩ１２Ａ２，ＤＩ１２Ｂ１及びＤＩ１２Ｂ２の組，ＤＪ１２Ａ１，ＤＪ１２Ａ２，ＤＪ１２Ｂ１及びＤＪ１２Ｂ２の組のいずれかを、２０ビットワード列データＤＰＡ１（２０），ＤＰＡ２（２０），ＤＰＢ１（２０）及びＤＰＢ２（２０）の組として導出する。
【０１４６】
図１８に示される送信側におけるデータ処理部１１１から送出されるワード伝送レートを７４．２５ＭＢｐｓとする２０ビットワード列データＤＰＡ１（２０）は、データ挿入部１１２に供給される。データ挿入部１１２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部１１２から得られる２０ビットワード列データＤＰＡ１’（２０）は、Ｐ／Ｓ変換部１１３に供給される。
【０１４７】
Ｐ／Ｓ変換部１１３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１をビット多重部１１４に供給する。
【０１４８】
データ処理部１１１から送出されるワード伝送レートを７４．２５ＭＢｐｓとする２０ビットワード列データＤＰＡ２（２０）は、データ挿入部１１５に供給される。データ挿入部１１５にあっては、２０ビットワード列データＤＰＡ２（２０）に、必要に応じたチャンネル識別データを含む補助データＤＡＡ２を挿入し、補助データＤＡＡ２が挿入された２０ビットワード列データＤＰＡ２’（２０）を形成する。データ挿入部１１５から得られる２０ビットワード列データＤＰＡ２’（２０）は、Ｐ／Ｓ変換部１１６に供給される。
【０１４９】
Ｐ／Ｓ変換部１１６にあっては、２０ビットワード列データＤＰＡ２’（２０）にＰ／Ｓ変換を施して、２０ビットワード列データＤＰＡ２’（２０）に基づくビット伝送レートを７４．２５ＭＢｐｓ×２０＝１．４８５ＧｂｐｓとするシリアルデータＤＳＡ２を形成し、そのシリアルデータＤＳＡ２をビット多重部１１４に供給する。
【０１５０】
ビット多重部１１４にあっては、シリアルデータＤＳＡ１及びシリアルデータＤＳＡ２の夫々から１ビットずつを交互に取り出して順次配列する動作を行い、シリアルデータＤＳＡ１とシリアルデータＤＳＡ２とにビット多重合成処理を施して、ビット伝送レートを１．４８５Ｇｂｐｓ×２＝２．９７Ｇｂｐｓとする複合シリアルデータＤＳＡＺを形成する。
【０１５１】
ビット多重部１１４から得られる複合シリアルデータＤＳＡＺは、Ｅ／Ｏ変換部１１７に供給される。Ｅ／Ｏ変換部１１７においては、複合シリアルデータＤＳＡＺに電光変換処理を施し、シリアルデータＤＳＡＺに基づく中心波長を、例えば、略１．３μｍとする光信号ＯＺＡを、ビット伝送レートを２．９７Ｇｂｐｓとするものとして形成し、それを合波部１１８へと導出する。
【０１５２】
また、データ処理部１１１から送出されるワード伝送レートを７４．２５ＭＢｐｓとする２０ビットワード列データＤＰＢ１（２０）は、データ挿入部１１９に供給される。データ挿入部１１９にあっては、２０ビットワード列データＤＰＢ１（２０）に、必要に応じたチャンネル識別データを含む補助データＤＡＢ１を挿入し、補助データＤＡＢ１が挿入された２０ビットワード列データＤＰＢ１’（２０）を形成する。データ挿入部１１９から得られる２０ビットワード列データＤＰＢ１’（２０）は、Ｐ／Ｓ変換部１２０に供給される。
【０１５３】
Ｐ／Ｓ変換部１２０にあっては、２０ビットワード列データＤＰＢ１’（２０）にＰ／Ｓ変換を施して、２０ビットワード列データＤＰＢ１’（２０）に基づくビット伝送レートを７４．２５ＭＢｐｓ×２０＝１．４８５ＧｂｐｓとするシリアルデータＤＳＢ１を形成し、そのシリアルデータＤＳＢ１をビット多重部１２１に供給する。
【０１５４】
データ処理部１１１から送出されるワード伝送レートを７４．２５ＭＢｐｓとする２０ビットワード列データＤＰＢ２（２０）は、データ挿入部１２２に供給される。データ挿入部１２２にあっては、２０ビットワード列データＤＰＢ２（２０）に、必要に応じたチャンネル識別データを含む補助データＤＡＢ２を挿入し、補助データＤＡＢ２が挿入された２０ビットワード列データＤＰＢ２’（２０）を形成する。データ挿入部１２２から得られる２０ビットワード列データＤＰＢ２’（２０）は、Ｐ／Ｓ変換部１２３に供給される。
【０１５５】
Ｐ／Ｓ変換部１２３にあっては、２０ビットワード列データＤＰＢ２’（２０）にＰ／Ｓ変換を施して、２０ビットワード列データＤＰＢ２’（２０）に基づくビット伝送レートを７４．２５ＭＢｐｓ×２０＝１．４８５ＧｂｐｓとするシリアルデータＤＳＢ２を形成し、そのシリアルデータＤＳＢ２をビット多重部１２１に供給する。
【０１５６】
ビット多重部１２１にあっては、シリアルデータＤＳＢ１及びシリアルデータＤＳＢ２の夫々から１ビットずつを交互に取り出して順次配列する動作を行い、シリアルデータＤＳＢ１とシリアルデータＤＳＢ２とにビット多重合成処理を施して、ビット伝送レートを１．４８５Ｇｂｐｓ×２＝２．９７Ｇｂｐｓとする複合シリアルデータＤＳＢＺを形成する。
【０１５７】
ビット多重部１２１から得られる複合シリアルデータＤＳＢＺは、Ｅ／Ｏ変換部１２４に供給される。Ｅ／Ｏ変換部１２４においては、複合シリアルデータＤＳＢＺに電光変換処理を施し、シリアルデータＤＳＢＺに基づく中心波長を、例えば、略１．５５μｍとする光信号ＯＺＢを、ビット伝送レートを２．９７Ｇｂｐｓとするものとして形成し、それを合波部１１８へと導出する。
【０１５８】
合波部１１８は、例えば、ファイバー型ＷＤＭカップラによって形成される。合波部１１８にあっては、中心波長を略１．３μｍとする光信号ＯＺＡと中心波長を略１．５５μｍとする光信号ＯＺＢとを合波して多重化し、多重光信号ＯＺＡＢを形成して、それを伝送信号として送出する。斯かるもとにおいて、ビット多重部１１４及び１２１，Ｅ／Ｏ変換部１１７及び１２４及び合波部１１８は、Ｐ／Ｓ変換部１１３，１１６，１２０及び１２３から夫々得られるシリアルデータＤＳＡ１，ＤＳＡ２，ＤＳＢ１及びＤＳＢ２を伝送すべく送出するデータ送出部を形成している。
【０１５９】
合波部１１８から送出される伝送信号である多重光信号ＯＺＡＢは、光コネクタ１２５を通じて光ファイバー伝送路１２６に導かれ、光ファイバー伝送路１２６を通じて図１９に示される受信側へと伝送される。光ファイバー伝送路１２６は、例えば、石英系ＳＭＦが用いられて形成される。
【０１６０】
図１９に示される受信側においては、光ファイバー伝送路１２６を通じて伝送された多重光信号ＯＺＡＢが、光コネクタ１２７を通じて分波部１２８ヘと導かれる。分波部１２８は、例えば、ファイバー型ＷＤＭカップラが分波手段として用いられて形成される。そして、分波部１２８にあっては、多重光信号ＯＺＡＢを、中心波長を略１．３μｍとする成分と中心波長を略１．５５μｍとする成分とに分波して、ビット伝送レートを２．９７Ｇｂｐｓとし、中心波長を略１．３μｍとする光信号ＯＺＡと、ビット伝送レートを２．９７Ｇｂｐｓとし、中心波長を略１．５５μｍとする光信号ＯＺＢとを再生する。分波部１２８により再生された光信号ＯＺＡ及びＯＺＢは、夫々、Ｏ／Ｅ変換部１２９及び１３０へと導かれる。
【０１６１】
Ｏ／Ｅ変換部１２９にあっては、中心波長を略１．３μｍとする光信号ＯＺＡに光電変換処理を施して、ビット伝送レートを２．９７Ｇｂｐｓとし、中心波長を略１．３μｍとする光信号ＯＺＡに基づく、ビット伝送レートを２．９７Ｇｂｐｓとする複合シリアルデータＤＳＡＺを再生する。そして、再生された複合シリアルデータＤＳＡＺは、ビット分離部１３１に供給される。
【０１６２】
Ｏ／Ｅ変換部１３０にあっては、中心波長を略１．５５μｍとする光信号ＯＺＢに光電変換処理を施して、ビット伝送レートを２．９７Ｇｂｐｓとし、中心波長を略１．５５μｍとする光信号ＯＺＢに基づく、ビット伝送レートを２．９７Ｇｂｐｓとする複合シリアルデータＤＳＢＺを再生する。そして、再生された複合シリアルデータＤＳＢＺは、ビット分離部１３２に供給される。
【０１６３】
ビット分離部１３１にあっては、複合シリアルデータＤＳＡＺから１ビットずつを順次取り出して、２個の一つ置きのビットのグループを形成する動作を行い、複合シリアルデータＤＳＡＺにビット分離処理を施す。そして、複合シリアルデータＤＳＡＺに含まれたチャンネル識別データを利用してチャンネルを特定し、複合シリアルデータＤＳＡＺに基づく、各々がビット伝送レートを２．９７Ｇｂｐｓ／２＝１．４８５Ｇｂｐｓとする２チャンネルのシリアルデータＤＳＡ１及びＤＳＡ２を形成する。シリアルデータＤＳＡ１は、Ｓ／Ｐ変換部１３３に供給され、また、シリアルデータＤＳＡ２は、Ｓ／Ｐ変換部１３４に供給される。
【０１６４】
Ｓ／Ｐ変換部１３３にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ分離部１３５に供給する。データ分離部１３５にあっては、２０ビットワード列データＤＰＡ１’（２０）から、チャンネル識別データを含んだ補助データＤＡＡ１が分離されて、２０ビットワード列データＤＰＡ１（２０）と補助データＤＡＡ１とが個別に送出され、２０ビットワード列データＤＰＡ１（２０）は、データ時間差吸収部１３６に供給される。
【０１６５】
Ｓ／Ｐ変換部１３４にあっては、シリアルデータＤＳＡ２にＳ／Ｐ変換を施して、シリアルデータＤＳＡ２に基づく、ワード伝送レートを７４．２５ＭＢｐｓとする２０ビットワード列データＤＰＡ２’（２０）を再生し、それをデータ分離部１３７に供給する。データ分離部１３７にあっては、２０ビットワード列データＤＰＡ２’（２０）から、チャンネル識別データを含んだ補助データＤＡＡ２が分離されて、２０ビットワード列データＤＰＡ２（２０）と補助データＤＡＡ２とが個別に送出され、２０ビットワード列データＤＰＡ２（２０）は、データ時間差吸収部１３６に供給される。
【０１６６】
また、ビット分離部１３２にあっては、複合シリアルデータＤＳＢＺから１ビットずつを順次取り出して、２個の一つ置きのビットのグループを形成する動作を行い、複合シリアルデータＤＳＢＺにビット分離処理を施す。そして、複合シリアルデータＤＳＢＺに含まれたチャンネル識別データを利用してチャンネルを特定し、複合シリアルデータＤＳＢＺに基づく、各々がビット伝送レートを２．９７Ｇｂｐｓ／２＝１．４８５Ｇｂｐｓとする２チャンネルのシリアルデータＤＳＢ１及びＤＳＢ２を形成する。シリアルデータＤＳＢ１は、Ｓ／Ｐ変換部１３９に供給され、また、シリアルデータＤＳＢ２は、Ｓ／Ｐ変換部１４０に供給される。
【０１６７】
Ｓ／Ｐ変換部１３９にあっては、シリアルデータＤＳＢ１にＳ／Ｐ変換を施して、シリアルデータＤＳＢ１に基づく、ワード伝送レートを７４．２５ＭＢｐｓとする２０ビットワード列データＤＰＢ１’（２０）を再生し、それをデータ分離部１４１に供給する。データ分離部１４１にあっては、２０ビットワード列データＤＰＢ１’（２０）から、チャンネル識別データを含んだ補助データＤＡＢ１が分離されて、２０ビットワード列データＤＰＢ１（２０）と補助データＤＡＢ１とが個別に送出され、２０ビットワード列データＤＰＢ１（２０）は、データ時間差吸収部１３６に供給される。
【０１６８】
Ｓ／Ｐ変換部１４０にあっては、シリアルデータＤＳＢ２にＳ／Ｐ変換を施して、シリアルデータＤＳＢ２に基づく、ワード伝送レートを７４．２５ＭＢｐｓとする２０ビットワード列データＤＰＢ２’（２０）を再生し、それをデータ分離部１４２に供給する。データ分離部１４２にあっては、２０ビットワード列データＤＰＢ２’（２０）から、チャンネル識別データを含んだ補助データＤＡＢ２が分離されて、２０ビットワード列データＤＰＢ２（２０）と補助データＤＡＢ２とが個別に送出され、２０ビットワード列データＤＰＢ２（２０）は、データ時間差吸収部１３６に供給される。
【０１６９】
データ時間差吸収部１３６にあっては、データ分離部１３５からの２０ビットワード列データＤＰＡ１（２０）と、データ分離部１３７からの２０ビットワード列データＤＰＡ２（２０）と、データ分離部１４１からの２０ビットワード列データＤＰＢ１（２０）と、データ分離部１４２からの２０ビットワード列データＤＰＢ２（２０）との間に生じた相互時間差を吸収し、２０ビットワード列データＤＰＡ１（２０）に基づくワード伝送レートを７４．２５ＭＢｐｓとする２０ビットワード列データＤＱＡ１（２０）と、２０ビットワード列データＤＰＡ２（２０）に基づくワード伝送レートを７４．２５ＭＢｐｓとする２０ビットワード列データＤＱＡ２（２０）と、２０ビットワード列データＤＰＢ１（２０）に基づくワード伝送レートを７４．２５ＭＢｐｓとする２０ビットワード列データＤＱＢ１（２０）と、２０ビットワード列データＤＰＢ２（２０）に基づくワード伝送レートを７４．２５ＭＢｐｓとする２０ビットワード列データＤＱＢ２（２０）とを、相互時間差が実質的に無い状態に維持されることが目指されるものとして送出する。
【０１７０】
データ時間差吸収部１３６から得られる２０ビットワード列データＤＱＡ１（２０），ＤＱＡ２（２０），ＤＱＢ１（２０）、及び、ＤＱＢ２（２０）は、データ再生処理部１３８に供給される。
【０１７１】
データ再生処理部１３８にあっては、２０ビットワード列データＤＱＡ１（２０），ＤＱＡ２（２０），ＤＱＢ１（２０）及びＤＱＢ２（２０）に対して、送信側におけるデータ処理部１１１によりディジタルデータＤＶＸに施されるデータ変換処理とは逆のデータ再生処理を施し、２０ビットワード列データＤＱＡ１（２０），ＤＱＡ２（２０），ＤＱＢ１（２０）及びＤＱＢ２（２０）に基づくディジタルデータＤＶＸを再生する。斯かるディジタルデータＤＶＸは、ディジタルデータＤＤ１２，ＤＥ１２，ＤＤ１４，ＤＥ１４，ＤＤ１６，ＤＥ１６，ＤＩ１２及びＤＪ１２のいずれかとされる。
【０１７２】
なお、図１８に示される送信側において、合波部１１８を用いることなく、Ｅ／Ｏ変換部１１７及び１２４から導出される光信号ＯＺＡ及びＯＺＢを、個別の伝送信号として、夫々、別個に設けられた２個の光ファイバー伝送路を通じて伝送するようになすこともできる。その際、Ｅ／Ｏ変換部１１７及び１２４の両者を、光信号ＯＺＡ及びＯＺＢの夫々を、実質的に同じ中心波長、例えば、略１．３μｍを有するように形成するものとなすことができる。
【０１７３】
さらには、図１８に示される送信側において、ビット多重部１１４及び１２１，Ｅ／Ｏ変換部１１７及び１２４及び合波部１１８に代えて、Ｐ／Ｓ変換部１１３，１１６，１２０及び１２３から得られるシリアルデータＤＳＡ１，ＤＳＡ２，ＤＳＢ１及びＤＳＢ２を夫々光信号に変換する４個のＥ／Ｏ変換部を設け、それら４個のＥ／Ｏ変換部から導出される４つの光信号を、個別の伝送信号として、夫々、別個に設けられた４個の光ファイバー伝送路を通じて伝送するようになすこともできる。
【０１７４】
図３７は、本発明に係るデータ伝送方法の第３の態様もしくは第４の態様のいずれかの態様を成す例が実施される、本発明に係るデータ伝送装置の第３の態様もしくは第４の態様を成す第５の例を含んだデータ送受装置の部分を示す。
【０１７５】
図３７に部分が示されるデータ送受装置は、図１８及び図１９に示されるデータ送受装置と同様に構成される部分を多々有しており、図３７には、図１８及び図１９に示されるデータ送受装置と異なる部分及びそれに関連する部分のみが示されている。
【０１７６】
図３７に部分が示されるデータ送受装置にあっては、図１８及び図１９に示されるデータ送受装置において備えられているビット多重部１１４及び１２１，Ｅ／Ｏ変換部１１７及び１２４，Ｏ／Ｅ変換部１２９及び１３０、及び、ビット分離部１３１及び１３２は備えられていず、それらに代えて、Ｅ／Ｏ変換部１４５，１４６，１４７及び１４８、及び、Ｏ／Ｅ変換部１５４，１５５，１５６及び１５７が備えられている。また、図１８及び図１９に示されるデータ送受装置において備えられている合波部１１８及び分波部１２８に夫々代えて合波部１４９及び分波部１５３が備えられている。さらに、図１８及び図１９に示されるデータ送受装置において備えられている光コネクタ１２５，光ファイバー伝送路１２６及び光コネクタ１２７に代えて、光コネクタ１５０，光ファイバー伝送路１５１及び光コネクタ１５２が備えられている。
【０１７７】
斯かる図３７に部分が示されるデータ送受装置においては、Ｐ／Ｓ変換部１１３からのビット伝送レートを１．４８５ＧｂｐｓとするシリアルデータＤＳＡ１がＥ／Ｏ変換部１４５に供給され、Ｐ／Ｓ変換部１１６からのビット伝送レートを１．４８５ＧｂｐｓとするシリアルデータＤＳＡ２がＥ／Ｏ変換部１４６に供給され、Ｐ／Ｓ変換部１２０からのビット伝送レートを１．４８５ＧｂｐｓとするシリアルデータＤＳＢ１がＥ／Ｏ変換部１４７に供給され、さらに、Ｐ／Ｓ変換部１２３からのビット伝送レートを１．４８５ＧｂｐｓとするシリアルデータＤＳＢ２がＥ／Ｏ変換部１４８に供給される。
【０１７８】
Ｅ／Ｏ変換部１４５においては、Ｐ／Ｓ変換部１１３からのビット伝送レートを１．４８５ＧｂｐｓとするシリアルデータＤＳＡ１に電光変換処理を施し、シリアルデータＤＳＡ１に基づく、中心波長を、例えば、略１．５１１μｍとする光信号ＯＳＡ１を、ビット伝送レートを１．４８５Ｇｂｐｓとするものとして形成し、それを合波部１４９へと導く。Ｅ／Ｏ変換部１４６においては、Ｐ／Ｓ変換部１１６からのビット伝送レートを１．４８５ＧｂｐｓとするシリアルデータＤＳＡ２に電光変換処理を施し、シリアルデータＤＳＡ２に基づく、中心波長を、例えば、略１．５３１μｍとする光信号ＯＳＡ２を、ビット伝送レートを１．４８５Ｇｂｐｓとするものとして形成し、それを合波部１４９へと導く。Ｅ／Ｏ変換部１４７においては、Ｐ／Ｓ変換部１２０からのビット伝送レートを１．４８５ＧｂｐｓとするシリアルデータＤＳＢ１に電光変換処理を施し、シリアルデータＤＳＢ１に基づく、中心波長を、例えば、略１．５５１μｍとする光信号ＯＳＢ１を、ビット伝送レートを１．４８５Ｇｂｐｓとするものとして形成し、それを合波部１４９へと導く。さらに、Ｅ／Ｏ変換部１４８においては、Ｐ／Ｓ変換部１２３からのビット伝送レートを１．４８５ＧｂｐｓとするシリアルデータＤＳＢ２に電光変換処理を施し、シリアルデータＤＳＢ２に基づく、中心波長を、例えば、略１．５７１μｍとする光信号ＯＳＢ２を、ビット伝送レートを１．４８５Ｇｂｐｓとするものとして形成し、それを合波部１４９へと導く。
【０１７９】
合波部１４９にあっては、中心波長を略１．５１１μｍとする光信号ＯＳＡ１と中心波長を略１．５３１μｍとする光信号ＯＳＡ２と中心波長を略１．５５１μｍとする光信号ＯＳＢ１と中心波長を略１．５７１μｍとする光信号ＯＳＢ２とを合波して多重化し、多重光信号ＯＺＺを形成して、それを伝送信号として送出する。斯かるもとで、Ｅ／Ｏ変換部１４５〜１４８と合波部１４９とは、Ｐ／Ｓ変換部１１３，１１６，１２０及び１２３から夫々得られるシリアルデータＤＳＡ１，ＤＳＡ２，ＤＳＢ１及びＤＳＢ２を伝送すべく送出するデータ送出部を形成している。
【０１８０】
このようにして、合波部１４９において多重化される光信号ＯＳＡ１，ＯＳＡ２，ＯＳＢ１及びＯＳＢ２は、それらの中心波長が略０．０２０μ（２０ｎｍ）ずつ隔たっているにすぎない、相互に極めて近接した波長を有するもとで多重化されて、多重光信号ＯＺＺを形成するものとされており、Ｅ／Ｏ変換部１４５〜１４８と合波部１４９とを含む部分においては、Coase Wavelength Division Multiplexing (CWDM) と称される波長多重技術が用いられる。
【０１８１】
合波部１４９から送出される伝送信号である多重光信号ＯＺＺは、光コネクタ１５０を通じて光ファイバー伝送路１５１に導かれ、光ファイバー伝送路１５１を通じて受信側へと伝送される。
【０１８２】
受信側においては、光ファイバー伝送路１５１を通じて伝送された多重光信号ＯＺＺが、光コネクタ１５２を通じて分波部１５３へと導かれる。分波部１５３にあっては、多重光信号ＯＺＺを、中心波長を略１．５１１μｍとする成分と中心波長を略１．５３１μｍとする成分と中心波長を略１．５５１μｍとする成分と中心波長を略１．５７１μｍとする成分とに分波して、ビット伝送レートを１．４８５Ｇｂｐｓとし、中心波長を略１．５１１μｍとする光信号ＯＳＡ１と、ビット伝送レートを１．４８５Ｇｂｐｓとし、中心波長を略１．５３１μｍとする光信号ＯＳＡ２と、ビット伝送レートを１．４８５Ｇｂｐｓとし、中心波長を略１．５５１μｍとする光信号ＯＳＢ１と、ビット伝送レートを１．４８５Ｇｂｐｓとし、中心波長を略１．５７１μｍとする光信号ＯＳＢ２とを再生する。
【０１８３】
分波部１５３により再生された光信号ＯＳＡ１，ＯＳＡ２，ＯＳＢ１及びＯＳＢ２は、夫々、Ｏ／Ｅ変換部１５４，１５５，１５６及び１５７へと導かれる。Ｏ／Ｅ変換部１５４にあっては、中心波長を略１．５１１μｍとし、ビット伝送レートを１．４８５Ｇｂｐｓとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部１３３に供給される。Ｏ／Ｅ変換部１５５にあっては、中心波長を略１．５３１μｍとし、ビット伝送レートを１．４８５Ｇｂｐｓとする光信号ＯＳＡ２に光電変換処理を施して、光信号ＯＳＡ２に基づく、ビット伝送レートを１．４８５ＧｂｐｓとするシリアルデータＤＳＡ２を再生する。そして、再生されたシリアルデータＤＳＡ２は、Ｓ／Ｐ変換部１３４に供給される。Ｏ／Ｅ変換部１５６にあっては、中心波長を略１．５５１μｍとし、ビット伝送レートを１．４８５Ｇｂｐｓとする光信号ＯＳＢ１に光電変換処理を施して、光信号ＯＳＢ１に基づく、ビット伝送レートを１．４８５ＧｂｐｓとするシリアルデータＤＳＢ１を再生する。そして、再生されたシリアルデータＤＳＢ１は、Ｓ／Ｐ変換部１３９に供給される。さらに、Ｏ／Ｅ変換部１５７にあっては、中心波長を略１．５７１μｍとし、ビット伝送レートを１．４８５Ｇｂｐｓとする光信号ＯＳＢ２に光電変換処理を施して、光信号ＯＳＢ２に基づく、ビット伝送レートを１．４８５ＧｂｐｓとするシリアルデータＤＳＢ２を再生する。そして、再生されたシリアルデータＤＳＢ２は、Ｓ／Ｐ変換部１４０供給される。その他の動作は、図１８及び図１９に示されるデータ送受装置の場合と同様である。
【０１８４】
産業上の利用可能性
以上の説明から明らかな如く、本発明に係るデータ伝送方法の第１の態様〜第４の態様のいずれか、あるいは、本発明に係るデータ伝送装置の第１の態様〜第４の態様のいずれかによれば、量子化ビット数を１２ビット，１４ビットもしくは１６ビットとするディジタル映像信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
【０１８５】
図面の簡単な説明
図１は、ＨＤディジタル映像信号のデータフォーマットの一例の説明に供される概念図である。
図２は、ＨＤディジタル映像信号のデータフォーマットの一例の説明に供される概念図である。
図３は、本発明に係るデータ伝送方法の第１もしくは第３の態様を成す例、あるいは、本発明に係るデータ伝送装置の第１もしくは第３の態様を成す例による伝送に供されるディジタル映像信号を成すディジタルデータの一例のデータフォーマットを示す概念図である。
図４は、本発明に係るデータ伝送方法の第１もしくは第３の態様を成す例、あるいは、本発明に係るデータ伝送装置の第１もしくは第３の態様を成す例による伝送に供されるディジタル映像信号を成すディジタルデータにおける禁止コードの説明に供される表図である。
図５は、本発明に係るデータ伝送方法の第２もしくは第４の態様を成す例、あるいは、本発明に係るデータ伝送装置の第２もしくは第４態様を成す例による伝送に供されるディジタル映像信号を成すディジタルデータの一例のデータフォーマットを示す概念図である。
図６〜図８は、本発明に係るデータ伝送方法の第１〜第４の態様のうちのいずれか、あるいは、本発明に係るデータ伝送装置の第１〜第４の態様のうちのいずれかによる伝送に供されるディジタル映像信号を成すディジタルデータの説明に供される表図である。
図９は、本発明に係るデータ伝送方法の第１の態様もしくは第２の態様を成す例が実施される、本発明に係るデータ伝送装置の第１の態様もしくは第２の態様を成す第１の例を含んだデータ送受装置を示すブロック接続図である。
図１０〜図１５は、図９に示されるデータ送受装置におけるデータ処理部の動作説明
に供されるデータをあらわす概念図である。
図１６は、本発明に係るデータ伝送方法の第１の態様もしくは第２の態様を成す例が実施される、本発明に係るデータ伝送装置の第１の態様もしくは第２の態様を成す第２の例を含んだデータ送受装置を示すブロック接続図である。
図１７は、本発明に係るデータ伝送方法の第１の態様もしくは第２の態様を成す例が実施される、本発明に係るデータ伝送装置の第１の態様もしくは第２の態様を成す第３の例を含んだデータ送受装置を示すブロック接続図である。
図１８及び図１９は、本発明に係るデータ伝送方法の第３の態様もしくは第４の態様を成す例が実施される、本発明に係るデータ伝送装置の第３の態様もしくは第４の態様を成す第４の例を含んだデータ送受装置を示すブロック接続図である。
図２０は、図１８及び図１９に示されるデータ送受装置におけるデータ処理部の動作説明に供されるデータをあらわす概念図である。
図２１は、図１８及び図１９に示されるデータ送受装置におけるデータ処理部の動作説明に供されるデータをあらわす概念図である。
図２２は、図１８及び図１９に示されるデータ送受装置におけるデータ処理部の動作説明に供されるデータをあらわす概念図である。
図２３は、図１８及び図１９に示されるデータ送受装置におけるデータ処理部の動作説明に供されるデータをあらわす概念図である。
図２４は、図１８及び図１９に示されるデータ送受装置におけるデータ処理部の動作説明に供されるデータをあらわす概念図である。
図２５は、図１８及び図１９に示されるデータ送受装置におけるデータ処理部の動作説明に供されるデータをあらわす概念図である。
図２６〜図３６は、図１８及び図１９に示されるデータ送受装置におけるデータ処理
部の動作説明に供されるデータをあらわす概念図である。
図３７は、本発明に係るデータ伝送方法の第３の態様もしくは第４の態様を成す例が実施される、本発明に係るデータ伝送装置の第３の態様もしくは第４の態様を成す第５の例を含んだデータ送受装置の部分を示すブロック接続図である。
【図１】
0003594029.tif 000002
【図２】
0003594029.tif 000003
【図３】
0003594029.tif 000004
【図４】
0003594029.tif 000005
【図５】
0003594029.tif 000006
【図６】
0003594029.tif 000007
【図７】
0003594029.tif 000008
【図８】
0003594029.tif 000009
【図９】
0003594029.tif 000010
【図１０】
0003594029.tif 000011
【図１１】
0003594029.tif 000012
【図１２】
0003594029.tif 000013
【図１３】
0003594029.tif 000014
【図１４】
0003594029.tif 000015
【図１５】
0003594029.tif 000016
【図１６】
0003594029.tif 000017
【図１７】
0003594029.tif 000018
【図１８】
0003594029.tif 000019
【図１９】
0003594029.tif 000020
【図２０】
0003594029.tif 000021
【図２１】
0003594029.tif 000022
【図２２】
0003594029.tif 000023
【図２３】
0003594029.tif 000024
【図２４】
0003594029.tif 000025
【図２５】
0003594029.tif 000026
【図２６】
0003594029.tif 000027
【図２７】
0003594029.tif 000028
【図２８】
0003594029.tif 000029
【図２９】
0003594029.tif 000030
【図３０】
0003594029.tif 000031
【図３１】
0003594029.tif 000032
【図３２】
0003594029.tif 000033
【図３３】
0003594029.tif 000034
【図３４】
0003594029.tif 000035
【図３５】
0003594029.tif 000036
【図３６】
0003594029.tif 000037
【図３７】
0003594029.tif 000038